(57)【要約】      （修正有）【課題】スロット毎の探索領域セットに対して使用可能な非重複なＣＣＥの数と監視可能なＰＤＣＣＨ候補の数を効率的に割当てる方法を提供する。【解決手段】探索セットに対するＰＤＣＣＨ候補の規定数を設定するステップ７０１と、探索セットに対する非重複なＣＣＥの規定数を設定するステップ７０２と、所定の条件Ｃを満たす間、下記のステップ７０５からステップ７０７までの処理を繰り返すステップ７０４と、監視されるＰＤＣＣＨ候補を複数のＵＳＳ種類の探索領域セットに順次、割当てるステップ７０５と、ＰＤＣＣＨ候補の数を更新するステップ７０６と、非重複なＣＣＥの数を更新するステップ７０７を含む。【選択図】図７
2019220742.tif 000002
【特許請求の範囲】
【請求項１】
制御リソースセットの探索領域セットを監視する受信部を備え、
端末装置がスロット毎に監視することを期待される非重複なＣＣＥの最大数ＣＰＤＣＣＨｍａｘ，ｓｌｏｔに少なくとも基づき、監視されるＰＤＣＣＨ候補を前記探索領域セットに割り当て、
制御リソースセットが複数の条件の１つ以上を少なくとも満たした場合、前記ＣＣＥは前記非重複なＣＣＥであり、
前記複数の条件は前記ＣＣＥが異なる探索領域セットの種類に対応することを含む、
端末装置。
【請求項２】
制御リソースセットの探索領域セットを監視する受信部を備え、
端末装置がスロット毎に監視することを期待される非重複なＣＣＥの最大数ＣＰＤＣＣＨｍａｘ，ｓｌｏｔに少なくとも基づき、監視されるＰＤＣＣＨ候補を前記探索領域セットに割り当て、
ＣＣＥが複数の条件の１つ以上を少なくとも満たした場合、前記ＣＣＥは前記非重複なＣＣＥであり、
前記複数の条件は前記制御リソースセットの上位層パラメータｐｄｃｃｈ−ＤＭＲＳ−ＳｃｒａｍｂｌｉｎｇＩＤが設定される、且つ、前記ＣＣＥが異なる探索領域セットの種類に対応することを含む、
端末装置。
【請求項３】
前記探索領域セットの種類がＣＳＳとＵＳＳを含む、
前記請求項１または前記請求項２に記載の端末装置。
【請求項４】
制御リソースセットの探索領域セットにおいてＰＤＣＣＨを送信する送信部を備え、
端末装置がスロット毎に監視することを期待される非重複なＣＣＥの最大数ＣＰＤＣＣＨｍａｘ，ｓｌｏｔに少なくとも基づき、監視されるＰＤＣＣＨ候補を前記探索領域セットに割り当て、
制御リソースセットが複数の条件の１つ以上を少なくとも満たした場合、前記ＣＣＥは前記非重複なＣＣＥであり、
前記複数の条件は前記ＣＣＥが異なる探索領域セットの種類に対応することを含む、
基地局装置。
【請求項５】
制御リソースセットの探索領域セットにおいてＰＤＣＣＨを送信する送信部を備え、
端末装置がスロット毎に監視することを期待される非重複なＣＣＥの最大数ＣＰＤＣＣＨｍａｘ，ｓｌｏｔに少なくとも基づき、監視されるＰＤＣＣＨ候補を前記探索領域セットに割り当て、
ＣＣＥが複数の条件の１つ以上を少なくとも満たした場合、前記ＣＣＥは前記非重複なＣＣＥであり、
前記複数の条件は前記制御リソースセットの上位層パラメータｐｄｃｃｈ−ＤＭＲＳ−ＳｃｒａｍｂｌｉｎｇＩＤが設定される、且つ、前記ＣＣＥが異なる探索領域セットの種類に対応することを含む、
基地局装置。
【請求項６】
前記探索領域セットの種類がＣＳＳとＵＳＳを含む、
前記請求項４または前記請求項５に記載の基地局装置。
【請求項７】
端末装置に用いられる通信方法であって、
制御リソースセットの探索領域セットを監視するステップを備え、
前記端末装置がスロット毎に監視することを期待される非重複なＣＣＥの最大数ＣＰＤＣＣＨｍａｘ，ｓｌｏｔに少なくとも基づき、監視されるＰＤＣＣＨ候補を前記探索領域セットに割り当て、
制御リソースセットが複数の条件の１つ以上を少なくとも満たした場合、前記ＣＣＥは前記非重複なＣＣＥであり、
前記複数の条件は前記ＣＣＥが異なる探索領域セットの種類に対応することを含む、
通信方法。
【請求項８】
端末装置に用いられる通信方法であって、
制御リソースセットの探索領域セットを監視するステップを備え、
前記端末装置がスロット毎に監視することを期待される非重複なＣＣＥの最大数ＣＰＤＣＣＨｍａｘ，ｓｌｏｔに少なくとも基づき、監視されるＰＤＣＣＨ候補を前記探索領域セットに割り当て、
ＣＣＥが複数の条件の１つ以上を少なくとも満たした場合、前記ＣＣＥは前記非重複なＣＣＥであり、
前記複数の条件は前記制御リソースセットの上位層パラメータｐｄｃｃｈ−ＤＭＲＳ−ＳｃｒａｍｂｌｉｎｇＩＤが設定される、且つ、前記ＣＣＥが異なる探索領域セットの種類に対応することを含む、
通信方法。
【発明の詳細な説明】
【技術分野】
【０００１】
本発明は、端末装置、基地局装置、および、通信方法に関する。
【背景技術】
【０００２】
セルラー移動通信の無線アクセス方式および無線ネットワーク（以下、「Long Term Evolution （LTE）」、または、「EUTRA:Evolved Universal Terrestrial Radio Access」
と称する。）が、第三世代パートナーシッププロジェクト（3GPP:3rd Generation Partnership Project）において検討されている。ＬＴＥにおいて、基地局装置はｅＮｏｄｅＢ
（evolved NodeB）、端末装置はＵＥ（User Equipment）とも呼称される。ＬＴＥは、基
地局装置がカバーするエリアをセル状に複数配置するセルラー通信システムである。単一の基地局装置は複数のサービングセルを管理してもよい。
【０００３】
３ＧＰＰでは、国際電気通信連合（ITU:International Telecommunication Union）が
策定する次世代移動通信システムの規格であるＩＭＴ（International Mobile Telecommunication）―２０２０に提案するため、次世代規格（NR:New Radio）の検討が行われている（非特許文献１）。ＮＲは、単一の技術の枠組みにおいて、ｅＭＢＢ（enhanced Mobile BroadBand）、ｍＭＴＣ（massive Machine Type Communication）、ＵＲＬＬＣ（Ultra
Reliable and Low Latency Communication）の３つのシナリオを想定した要求を満たす
ことが求められている。
【先行技術文献】
【非特許文献】
【０００４】
【非特許文献１】"New SID proposal: Study on New Radio Access Technology"， RP-160671， NTT docomo， 3GPP TSG RAN Meeting #71，Goteborg， Sweden， 7th-10th March， 2016．
【発明の概要】
【発明が解決しようとする課題】
【０００５】
本発明は、効率的に通信を行う端末装置、該端末装置に用いられる通信方法、効率的に通信を行う基地局装置、該基地局装置に用いられる通信方法を提供する。
【課題を解決するための手段】
【０００６】
（１）本発明の第１の態様は、端末装置であって、制御リソースセットの探索領域セットを監視する受信部を備え、端末装置がスロット毎に監視することを期待される非重複なＣＣＥの最大数ＣＰＤＣＣＨｍａｘ，ｓｌｏｔに少なくとも基づき、監視されるＰＤＣＣＨ候補を前記探索領域セットに割り当て、制御リソースセットが複数の条件の１つ以上を少なくとも満たした場合、前記ＣＣＥは前記非重複なＣＣＥであり、前記複数の条件は前記ＣＣＥが異なる探索領域セットの種類に対応することを含む。
【０００７】
（２）本発明の第２の態様は、端末装置であって、制御リソースセットの探索領域セットを監視する受信部を備え、端末装置がスロット毎に監視することを期待される非重複なＣＣＥの最大数ＣＰＤＣＣＨｍａｘ，ｓｌｏｔに少なくとも基づき、監視されるＰＤＣＣＨ候補を前記探索領域セットに割り当て、ＣＣＥが複数の条件の１つ以上を少なくとも満たした場合、前記ＣＣＥは前記非重複なＣＣＥであり、前記複数の条件は前記制御リソースセットの上位層パラメータｐｄｃｃｈ−ＤＭＲＳ−ＳｃｒａｍｂｌｉｎｇＩＤが設定される、且つ、前記ＣＣＥが異なる探索領域セットの種類に対応することを含む。
【０００８】
（３）本発明の第３の態様は、基地局装置であって、制御リソースセットの探索領域セットを監視する受信部を備え、端末装置がスロット毎に監視することを期待される非重複なＣＣＥの最大数ＣＰＤＣＣＨｍａｘ，ｓｌｏｔに少なくとも基づき、監視されるＰＤＣＣＨ候補を前記探索領域セットに割り当て、制御リソースセットが複数の条件の１つ以上を少なくとも満たした場合、前記ＣＣＥは前記非重複なＣＣＥであり、前記複数の条件は前記ＣＣＥが異なる探索領域セットの種類に対応することを含む。
【０００９】
（４）本発明の第４の態様は、基地局装置であって、制御リソースセットの探索領域セットを監視する受信部を備え、端末装置がスロット毎に監視することを期待される非重複なＣＣＥの最大数ＣＰＤＣＣＨｍａｘ，ｓｌｏｔに少なくとも基づき、監視されるＰＤＣＣＨ候補を前記探索領域セットに割り当て、ＣＣＥが複数の条件の１つ以上を少なくとも満たした場合、前記ＣＣＥは前記非重複なＣＣＥであり、前記複数の条件は前記制御リソースセットの上位層パラメータｐｄｃｃｈ−ＤＭＲＳ−ＳｃｒａｍｂｌｉｎｇＩＤが設定される、且つ、前記ＣＣＥが異なる探索領域セットの種類に対応することを含む。
【００１０】
（５）本発明の第５の態様は、端末装置に用いられる通信方法であって、制御リソースセットの探索領域セットを監視する受信部を備え、端末装置がスロット毎に監視することを期待される非重複なＣＣＥの最大数ＣＰＤＣＣＨｍａｘ，ｓｌｏｔに少なくとも基づき、監視されるＰＤＣＣＨ候補を前記探索領域セットに割り当て、制御リソースセットが複数の条件の１つ以上を少なくとも満たした場合、前記ＣＣＥは前記非重複なＣＣＥであり、前記複数の条件は前記ＣＣＥが異なる探索領域セットの種類に対応することを含む。
【００１１】
（６）本発明の第６の態様は、端末装置に用いられる通信方法であって、制御リソースセットの探索領域セットを監視する受信部を備え、端末装置がスロット毎に監視することを期待される非重複なＣＣＥの最大数ＣＰＤＣＣＨｍａｘ，ｓｌｏｔに少なくとも基づき、監視されるＰＤＣＣＨ候補を前記探索領域セットに割り当て、ＣＣＥが複数の条件の１つ以上を少なくとも満たした場合、前記ＣＣＥは前記非重複なＣＣＥであり、前記複数の条件は前記制御リソースセットの上位層パラメータｐｄｃｃｈ−ＤＭＲＳ−ＳｃｒａｍｂｌｉｎｇＩＤが設定される、且つ、前記ＣＣＥが異なる探索領域セットの種類に対応することを含む。
【発明の効果】
【００１２】
この発明によれば、端末装置は効率的に通信を行うことができる。また、基地局装置は効率的に通信を行うことができる。
【図面の簡単な説明】
【００１３】
【図１】本実施形態の一態様に係る無線通信システムの概念図である。
【図２】本実施形態の一態様に係るＮｓｌｏｔｓｙｍｂ、サブキャリア間隔の設定μ、スロット設定、および、ＣＰ設定の関係を示す一例である。
【図３】本実施形態の一態様に係るサブフレームにおけるリソースグリッドの一例を示す概略図である。
【図４】本実施形態の一態様に係る端末装置１の構成を示す概略ブロック図である。
【図５】本実施形態の一態様に係る基地局装置３の構成を示す概略ブロック図である。
【図６】本実施形態の一態様に係る、ＰＤＣＣＨ候補を割り当てる時において、あるＣＣＥが非重複なＣＣＥ（non-overlapped CCE）であるか重複なＣＣＥ（overlapped CCE）であるかを判定する方法を示す図である。
【図７】本実施形態の一態様に係るあるスロットにおける、ある探索領域セットに対して使用可能な非重複なＣＣＥの数および監視可能なＰＤＣＣＨ候補の数を割り当てる手順を示す図である。
【発明を実施するための形態】
【００１４】
以下、本発明の実施形態について説明する。
【００１５】
パラメータまたは情報が１または複数の値を示すことは、該パラメータまたは該情報が該１または複数の値を示すパラメータまたは情報を少なくとも含むことであってもよい。上位層パラメータは、単一の上位層パラメータであってもよい。上位層パラメータは、複数のパラメータを含む情報要素（IE:Information Element）であってもよい。
【００１６】
図１は、本実施形態の一態様に係る無線通信システムの概念図である。図１において、無線通信システムは、端末装置１Ａ〜１Ｃ、および基地局装置３を具備する。以下、端末装置１Ａ〜１Ｃを端末装置１とも呼称する。
【００１７】
以下、フレーム構成について説明する。
【００１８】
本実施形態の一態様に係る無線通信システムにおいて、ＯＦＤＭ（Orthogonal Frequency Division Multiplex）が少なくとも用いられる。ＯＦＤＭシンボルは、ＯＦＤＭの時
間領域の単位である。ＯＦＤＭシンボルは、少なくとも１または複数のサブキャリア（subcarrier）を含む。ＯＦＤＭシンボルは、ベースバンド信号生成において時間連続信号（time-continuous signal）に変換される。
【００１９】
サブキャリア間隔（SCS:SubCarrier Spacing）は、サブキャリア間隔Δｆ＝２μ・１５ｋＨｚによって与えられてもよい。例えば、サブキャリア間隔の設定（subcarrier spacing configuration）μは０、１、２、３、４、および／または、５のいずれかに設定されてもよい。あるＢＷＰ（BandWidth Part）のために、サブキャリア間隔の設定μが上位層パラメータにより与えられてもよい。
【００２０】
本実施形態の一態様に係る無線通信システムにおいて、時間領域の長さの表現のために時間単位（タイムユニット）Ｔｃが用いられる。時間単位Ｔｃは、Ｔｃ＝１／（Δｆｍａｘ・Ｎｆ）で与えられてもよい。Δｆｍａｘは、本実施形態の一態様に係る無線通信システムにおいてサポートされるサブキャリア間隔の最大値であってもよい。Δｆｍａｘは、Δｆｍａｘ＝４８０ｋＨｚであってもよい。Ｎｆは、Ｎｆ＝４０９６であってもよい。定数κは、κ＝Δｆｍａｘ・Ｎｆ／（ΔｆｒｅｆＮｆ，ｒｅｆ）＝６４である。Δｆｒｅｆは、１５ｋＨｚであってもよい。Ｎｆ，ｒｅｆは、２０４８であってもよい。
【００２１】
定数κは、参照サブキャリア間隔とＴｃの関係を示す値であってもよい。定数κはサブフレームの長さのために用いられてもよい。定数κに少なくとも基づき、サブフレームに含まれるスロットの数が与えられてもよい。Δｆｒｅｆは、参照サブキャリア間隔であり、Ｎｆ，ｒｅｆは、参照サブキャリア間隔に対応する値である。
【００２２】
下りリンクにおける送信、および／または、上りリンクにおける送信は、１０ｍｓのフレームにより構成される。フレームは、１０個のサブフレームを含んで構成される。サブフレームの長さは１ｍｓである。フレームの長さは、サブキャリア間隔Δｆに関わらず与えられてもよい。つまり、フレームの設定はμに関わらず与えられてもよい。サブフレームの長さは、サブキャリア間隔Δｆに関わらず与えられてもよい。つまり、サブフレームの設定はμに関わらず与えられてもよい。
【００２３】
あるサブキャリア間隔の設定μのために、サブフレームに含まれるスロットの数とインデックスが与えられてもよい。例えば、第１のスロット番号ｎμｓは、サブフレーム内において０からＮｓｕｂｆｒａｍｅ，μｓｌｏｔ−１の範囲で昇順に与えられてもよい。サ
ブキャリア間隔の設定μのために、フレームに含まれるスロットの数とインデックスが与えられてもよい。例えば、第２のスロット番号ｎμｓ，ｆは、フレーム内において０からＮｆｒａｍｅ，μｓｌｏｔ−１の範囲で昇順に与えられてもよい。連続するＮｓｌｏｔｓｙｍｂ個のＯＦＤＭシンボルが１つのスロットに含まれてもよい。Ｎｓｌｏｔｓｙｍｂは、スロット設定（slot configuration）、および／または、ＣＰ（Cyclic Prefix）設定
の一部または全部に少なくとも基づき与えられてもよい。スロット設定は、上位層パラメータｓｌｏｔ＿ｃｏｎｆｉｇｕｒａｔｉｏｎにより与えられてもよい。ＣＰ設定は、上位層パラメータに少なくとも基づき与えられてもよい。ＣＰ設定は、専用ＲＲＣシグナリングに少なくとも基づき与えられてもよい。第１のスロット番号および第２のスロット番号は、スロット番号（スロットインデックス）とも呼称される。
【００２４】
図２は、本実施形態の一態様に係るＮｓｌｏｔｓｙｍｂ、サブキャリア間隔の設定μ、スロット設定、および、ＣＰ設定の関係を示す一例である。図２Ａにおいて、スロット設定が０であり、サブキャリア間隔の設定μが２であり、ＣＰ設定がノーマルＣＰ（normal
cyclic prefix）である場合、Ｎｓｌｏｔｓｙｍｂ＝１４、Ｎｆｒａｍｅ，μｓｌｏｔ＝４０、Ｎｓｕｂｆｒａｍｅ，μｓｌｏｔ＝４である。また、図２Ｂにおいて、スロット設定が０であり、サブキャリア間隔の設定μが２であり、ＣＰ設定が拡張ＣＰ（extended cyclic prefix）である場合、Ｎｓｌｏｔｓｙｍｂ＝１２、Ｎｆｒａｍｅ，μｓｌｏｔ＝４０、Ｎｓｕｂｆｒａｍｅ，μｓｌｏｔ＝４である。スロット設定０におけるＮｓｌｏｔｓｙｍｂは、スロット設定１におけるＮｓｌｏｔｓｙｍｂの２倍に対応してもよい。
【００２５】
以下、物理リソースについて説明を行う。
【００２６】
アンテナポートは、１つのアンテナポートにおいてシンボルが伝達されるチャネルが、同一のアンテナポートにおいてその他のシンボルが伝達されるチャネルから推定できることによって定義される。１つのアンテナポートにおいてシンボルが伝達されるチャネルの大規模特性（large scale property）が、もう一つのアンテナポートにおいてシンボルが伝達されるチャネルから推定できる場合、２つのアンテナポートはＱＣＬ（Quasi Co-Located）であると呼称される。大規模特性は、チャネルの長区間特性を少なくとも含んでもよい。大規模特性は、遅延拡がり（delay spread）、ドップラー拡がり（Doppler spread）、ドップラーシフト（Doppler shift）、平均利得（average gain）、平均遅延（average delay）、および、ビームパラメータ（spatial Rx parameters）の一部または全部を
少なくとも含んでもよい。第１のアンテナポートと第２のアンテナポートがビームパラメータに関してＱＣＬであるとは、第１のアンテナポートに対して受信側が想定する受信ビームと第２のアンテナポートに対して受信側が想定する受信ビームとが同一であることであってもよい。第１のアンテナポートと第２のアンテナポートがビームパラメータに関してＱＣＬであるとは、第１のアンテナポートに対して受信側が想定する送信ビームと第２のアンテナポートに対して受信側が想定する送信ビームとが同一であることであってもよい。端末装置１は、１つのアンテナポートにおいてシンボルが伝達されるチャネルの大規模特性が、もう一つのアンテナポートにおいてシンボルが伝達されるチャネルから推定できる場合、２つのアンテナポートはＱＣＬであることが想定されてもよい。２つのアンテナポートがＱＣＬであることは、２つのアンテナポートがＱＣＬであることが想定されることであってもよい。
【００２７】
サブキャリア間隔の設定とキャリアのセットのそれぞれのために、ＮμＲＢ，ｘＮＲＢｓｃ個のサブキャリアとＮ（μ）ｓｙｍｂＮｓｕｂｆｒａｍｅ，μｓｙｍｂ個のＯＦＤＭシンボルのリソースグリッドが与えられる。ＮμＲＢ，ｘは、キャリアｘのためのサブキャリア間隔の設定μのために与えられるリソースブロック数を示してもよい。ＮμＲＢ，ｘは、キャリアｘのためのサブキャリア間隔の設定μのために与えられるリソースブロックの最大数であってもよい。キャリアｘは下りリンクキャリアまたは上りリンクキャリア
のいずれかを示す。つまり、ｘは“ＤＬ”、または、“ＵＬ”である。ＮμＲＢは、ＮμＲＢ，ＤＬ、および／または、ＮμＲＢ，ＵＬを含んだ呼称である。ＮＲＢｓｃは、１つのリソースブロックに含まれるサブキャリア数を示してもよい。アンテナポートｐごとに、および／または、サブキャリア間隔の設定μごとに、および／または、送信方向（Transmission direction）の設定ごとに少なくとも１つのリソースグリッドが与えられてもよい。送信方向は、少なくとも下りリンク（DL:DownLink）および上りリンク（UL:UpLink）を含む。以下、アンテナポートｐ、サブキャリア間隔の設定μ、および、送信方向の設定の一部または全部を少なくとも含むパラメータのセットは、第１の無線パラメータセットとも呼称される。つまり、リソースグリッドは、第１の無線パラメータセットごとに１つ与えられてもよい。
【００２８】
下りリンクにおいて、サービングセルに含まれるキャリアを下りリンクキャリア（または、下りリンクコンポーネントキャリア）と称する。上りリンクにおいて、サービングセルに含まれるキャリアを上りリンクキャリア（上りリンクコンポーネントキャリア）と称する。下りリンクコンポーネントキャリア、および、上りリンクコンポーネントキャリアを総称して、コンポーネントキャリア（または、キャリア）と称する。
【００２９】
第１の無線パラメータセットごとに与えられるリソースグリッドの中の各要素は、リソースエレメントと呼称される。リソースエレメントは周波数領域のインデックスｋｓｃと、時間領域のインデックスｌｓｙｍにより特定される。ある第１の無線パラメータセットのために、リソースエレメントは周波数領域のインデックスｋｓｃと、時間領域のインデックスｌｓｙｍにより特定される。周波数領域のインデックスｋｓｃと時間領域のインデックスｌｓｙｍにより特定されるリソースエレメントは、リソースエレメント（ｋｓｃ、ｌｓｙｍ）とも呼称される。周波数領域のインデックスｋｓｃは、０からＮμＲＢＮＲＢｓｃ−１のいずれかの値を示す。ＮμＲＢはサブキャリア間隔の設定μのために与えられるリソースブロック数であってもよい。ＮＲＢｓｃは、リソースブロックに含まれるサブキャリア数であり、ＮＲＢｓｃ＝１２である。周波数領域のインデックスｋｓｃは、サブキャリアインデックスｋｓｃに対応してもよい。時間領域のインデックスｌｓｙｍは、ＯＦＤＭシンボルインデックスｌｓｙｍに対応してもよい。
【００３０】
図３は、本実施形態の一態様に係るサブフレームにおけるリソースグリッドの一例を示す概略図である。図３のリソースグリッドにおいて、横軸は時間領域のインデックスｌｓｙｍであり、縦軸は周波数領域のインデックスｋｓｃである。１つのサブフレームにおいて、リソースグリッドの周波数領域はＮμＲＢＮＲＢｓｃ個のサブキャリアを含む。１つのサブフレームにおいて、リソースグリッドの時間領域は１４・２μ個のＯＦＤＭシンボルを含んでもよい。１つのリソースブロックは、ＮＲＢｓｃ個のサブキャリアを含んで構成される。リソースブロックの時間領域は、１ＯＦＤＭシンボルに対応してもよい。リソースブロックの時間領域は、１４ＯＦＤＭシンボルに対応してもよい。リソースブロックの時間領域は、１または複数のスロットに対応してもよい。リソースブロックの時間領域は、１つのサブフレームに対応してもよい。
【００３１】
端末装置１は、リソースグリッドのサブセットのみを用いて送受信を行うことが指示されてもよい。リソースグリッドのサブセットは、ＢＷＰとも呼称され、ＢＷＰは上位層パラメータ、および／または、ＤＣＩの一部または全部に少なくとも基づき与えられてもよい。ＢＷＰをバンドパートとも称する（BP:bandwidth part）。つまり、端末装置１は、
リソースグリッドのすべてのセットを用いて送受信を行なうことが指示されなくてもよい。つまり、端末装置１は、リソースグリッド内の一部の周波数リソースを用いて送受信を行なうことが指示されてもよい。１つのＢＷＰは、周波数領域における複数のリソースブロックから構成されてもよい。１つのＢＷＰは、周波数領域において連続する複数のリソースブロックから構成されてもよい。下りリンクキャリアに対して設定されるＢＷＰは、
下りリンクＢＷＰとも呼称される。上りリンクキャリアに対して設定されるＢＷＰは、上りリンクＢＷＰとも呼称される。
【００３２】
端末装置１に対して、１または複数の下りリンクＢＷＰが設定されてもよい。端末装置１は、１または複数の下りリンクＢＷＰのうちの１つの下りリンクＢＷＰにおいて物理チャネル（例えば、ＰＤＣＣＨ、ＰＤＳＣＨ、ＳＳ／ＰＢＣＨ等）の受信を試みてもよい。該１つの下りリンクＢＷＰは、活性化下りリンクＢＷＰとも呼称される。
【００３３】
端末装置１に対して、１または複数の上りリンクＢＷＰが設定されてもよい。端末装置１は、１または複数の上りリンクＢＷＰのうちの１つの上りリンクＢＷＰにおいて物理チャネル（例えば、ＰＵＣＣＨ、ＰＵＳＣＨ、ＰＲＡＣＨ等）の送信を試みてもよい。該１つの上りリンクＢＷＰは、活性化上りリンクＢＷＰとも呼称される。
【００３４】
サービングセルのそれぞれに対して下りリンクＢＷＰのセットが設定されてもよい。下りリンクＢＷＰのセットは１または複数の下りリンクＢＷＰを含んでもよい。サービングセルのそれぞれに対して上りリンクＢＷＰのセットが設定されてもよい。上りリンクＢＷＰのセットは１または複数の上りリンクＢＷＰを含んでもよい。
【００３５】
上位層パラメータは、上位層の信号に含まれるパラメータである。上位層の信号は、ＲＲＣ（Radio Resource Control）シグナリングであってもよいし、ＭＡＣ  ＣＥ（Medium
Access Control Control Element）であってもよい。ここで、上位層の信号は、ＲＲＣ
層の信号であってもよいし、ＭＡＣ層の信号であってもよい。
【００３６】
上位層の信号は、共通ＲＲＣシグナリング（common RRC signaling）であってもよい。共通ＲＲＣシグナリングは、以下の特徴Ｃ１から特徴Ｃ３の一部または全部を少なくとも備えてもよい。
特徴Ｃ１）ＢＣＣＨロジカルチャネル、または、ＣＣＣＨロジカルチャネルにマップされる
特徴Ｃ２）ｒａｄｉｏＲｅｓｏｕｒｃｅＣｏｎｆｉｇＣｏｍｍｏｎ情報要素を少なくとも含む
特徴Ｃ３）ＰＢＣＨにマップされる
ｒａｄｉｏＲｅｓｏｕｒｃｅＣｏｎｆｉｇＣｏｍｍｏｎ情報要素は、サービングセルにおいて共通に用いられる設定を示す情報を含んでもよい。サービングセルにおいて共通に用いられる設定は、ＰＲＡＣＨの設定を少なくとも含んでもよい。該ＰＲＡＣＨの設定は、１または複数のランダムアクセスプリアンブルインデックスを少なくとも示してもよい。該ＰＲＡＣＨの設定は、ＰＲＡＣＨの時間／周波数リソースを少なくとも示してもよい。
【００３７】
上位層の信号は、専用ＲＲＣシグナリング（dedicated RRC signaling）であってもよ
い。専用ＲＲＣシグナリングは、以下の特徴Ｄ１からＤ２の一部または全部を少なくとも備えてもよい。
特徴Ｄ１）ＤＣＣＨロジカルチャネルにマップされる
特徴Ｄ２）ｒａｄｉｏＲｅｓｏｕｒｃｅＣｏｎｆｉｇＤｅｄｉｃａｔｅｄ情報要素を少なくとも含む
ｒａｄｉｏＲｅｓｏｕｒｃｅＣｏｎｆｉｇＤｅｄｉｃａｔｅｄ情報要素は、端末装置１に固有の設定を示す情報を少なくとも含んでもよい。ｒａｄｉｏＲｅｓｏｕｒｃｅＣｏｎｆｉｇＤｅｄｉｃａｔｅｄ情報要素は、ＢＷＰの設定を示す情報を少なくとも含んでもよい。該ＢＷＰの設定は、該ＢＷＰの周波数リソースを少なくとも示してもよい。
【００３８】
例えば、ＭＩＢ、第１のシステム情報、および、第２のシステム情報は共通ＲＲＣシグ
ナリングに含まれてもよい。また、ＤＣＣＨロジカルチャネルにマップされ、且つ、ｒａｄｉｏＲｅｓｏｕｒｃｅＣｏｎｆｉｇＣｏｍｍｏｎを少なくとも含む上位層のメッセージは、共通ＲＲＣシグナリングに含まれてもよい。また、ＤＣＣＨロジカルチャネルにマップされ、且つ、ｒａｄｉｏＲｅｓｏｕｒｃｅＣｏｎｆｉｇＣｏｍｍｏｎ情報要素を含まない上位層のメッセージは、専用ＲＲＣシグナリングに含まれてもよい。また、ＤＣＣＨロジカルチャネルにマップされ、且つ、ｒａｄｉｏＲｅｓｏｕｒｃｅＣｏｎｆｉｇＤｅｄｉｃａｔｅｄ情報要素を少なくとも含む上位層のメッセージは、専用ＲＲＣシグナリングに含まれてもよい。
【００３９】
第１のシステム情報は、ＳＳ（Synchronization Signal）ブロックの時間インデックスを少なくとも示してもよい。ＳＳブロック（SS block）は、ＳＳ／ＰＢＣＨブロック（SS/PBCH block）とも呼称される。ＳＳ／ＰＢＣＨブロックは、ＳＳ／ＰＢＣＨとも呼称さ
れる。第１のシステム情報は、ＰＲＡＣＨリソースに関連する情報を少なくとも含んでもよい。第１のシステム情報は、初期接続の設定に関連する情報を少なくとも含んでもよい。第２のシステム情報は、第１のシステム情報以外のシステム情報であってもよい。
【００４０】
ｒａｄｉｏＲｅｓｏｕｒｃｅＣｏｎｆｉｇＤｅｄｉｃａｔｅｄ情報要素は、ＰＲＡＣＨリソースに関連する情報を少なくとも含んでもよい。ｒａｄｉｏＲｅｓｏｕｒｃｅＣｏｎｆｉｇＤｅｄｉｃａｔｅｄ情報要素は、初期接続の設定に関連する情報を少なくとも含んでもよい。
【００４１】
以下、本実施形態の種々の態様に係る物理チャネルおよび物理シグナルを説明する。
【００４２】
上りリンク物理チャネルは、上位層において発生する情報を運ぶリソースエレメントのセットに対応してもよい。上りリンク物理チャネルは、上りリンクキャリアにおいて用いられる物理チャネルである。本実施形態の一態様に係る無線通信システムにおいて、少なくとも下記の一部または全部の上りリンク物理チャネルが用いられる。
・ＰＵＣＣＨ（Physical Uplink Control CHannel）
・ＰＵＳＣＨ（Physical Uplink Shared CHannel）
・ＰＲＡＣＨ（Physical Random Access CHannel）
ＰＵＣＣＨは、上りリンク制御情報（UCI:Uplink Control Information）を送信するために用いられてもよい。上りリンク制御情報は、チャネル状態情報（CSI:Channel State Information）、スケジューリングリクエスト（SR:Scheduling Request）、トランスポートブロック（TB:Transport block， MAC PDU:Medium Access Control Protocol Data Unit， DL-SCH:Downlink-Shared Channel， PDSCH:Physical Downlink Shared Channel）に
対応するＨＡＲＱ−ＡＣＫ（Hybrid Automatic Repeat request ACKnowledgement）の一
部または全部を含む。
【００４３】
ＨＡＲＱ−ＡＣＫは、１つのトランスポートブロックに少なくとも対応するＨＡＲＱ−ＡＣＫビットを少なくとも含んでもよい。ＨＡＲＱ−ＡＣＫビットは、１または複数のトランスポートブロックに対応するＡＣＫ（acknowledgement）またはＮＡＣＫ（negative-acknowledgement）を示してもよい。ＨＡＲＱ−ＡＣＫは、１または複数のＨＡＲＱ−Ａ
ＣＫビットを含むＨＡＲＱ−ＡＣＫコードブックを少なくとも含んでもよい。ＨＡＲＱ−ＡＣＫビットが１または複数のトランスポートブロックに対応することは、ＨＡＲＱ−ＡＣＫビットが該１または複数のトランスポートブロックを含むＰＤＳＣＨに対応することであってもよい。
【００４４】
ＨＡＲＱ−ＡＣＫビットは、トランスポートブロックに含まれる１つのＣＢＧ（Code Block Group）に対応するＡＣＫまたはＮＡＣＫを示してもよい。ＨＡＲＱ−ＡＣＫは、ＨＡＲＱフィードバック、ＨＡＲＱ情報、ＨＡＲＱ制御情報とも呼称される。
【００４５】
スケジューリングリクエスト（SR:Scheduling Request）は、初期送信のためのＰＵＳ
ＣＨのリソースを要求するために少なくとも用いられてもよい。スケジューリングリクエストビットは、正のＳＲ（positive SR）または、負のＳＲ（negative SR）のいずれかを示すために用いられてもよい。スケジューリングリクエストビットが正のＳＲを示すことは、“正のＳＲが送信される”とも呼称される。正のＳＲは、端末装置１によって初期送信のためのＰＵＳＣＨのリソースが要求されることを示してもよい。正のＳＲは、上位層によりスケジューリングリクエストがトリガされることを示してもよい。正のＳＲは、上位層によりスケジューリングリクエストを送信することが指示された場合に、送信されてもよい。スケジューリングリクエストビットが負のＳＲを示すことは、“負のＳＲが送信される”とも呼称される。負のＳＲは、端末装置１によって初期送信のためのＰＵＳＣＨのリソースが要求されないことを示してもよい。負のＳＲは、上位層によりスケジューリングリクエストがトリガされないことを示してもよい。負のＳＲは、上位層によりスケジューリングリクエストを送信することが指示されない場合に、送信されてもよい。
【００４６】
チャネル状態情報は、チャネル品質指標（CQI:Channel Quality Indicator）、プレコ
ーダ行列指標（PMI:Precoder Matrix Indicator）、および、ランク指標（RI:Rank Indicator）の一部または全部を少なくとも含んでもよい。ＣＱＩは、チャネルの品質（例えば、伝搬強度）に関連する指標であり、ＰＭＩは、プレコーダを指示する指標である。ＲＩは、送信ランク（または、送信レイヤ数）を指示する指標である。
【００４７】
ＰＵＣＣＨは、ＰＵＣＣＨフォーマット（ＰＵＣＣＨフォーマット０からＰＵＣＣＨフォーマット４）をサポートする。ＰＵＣＣＨフォーマットは、ＰＵＣＣＨにマップされて送信されてもよい。ＰＵＣＣＨフォーマットは、ＰＵＣＣＨで送信されてもよい。ＰＵＣＣＨフォーマットが送信されることは、ＰＵＣＣＨが送信されることであってもよい。
【００４８】
ＰＵＳＣＨは、トランスポートブロック（TB， MAC PDU， UL-SCH， PUSCH）を送信す
るために少なくとも用いられる。ＰＵＳＣＨは、トランスポートブロック、ＨＡＲＱ−ＡＣＫ、チャネル状態情報、および、スケジューリングリクエストの一部または全部を少なくとも送信するために用いられてもよい。ＰＵＳＣＨは、ランダムアクセスメッセージ３を送信するために少なくとも用いられる。
【００４９】
ＰＲＡＣＨは、ランダムアクセスプリアンブル（ランダムアクセスメッセージ１）を送信するために少なくとも用いられる。ＰＲＡＣＨは、初期コネクション確立（initial connection establishment）プロシージャ、ハンドオーバプロシージャ、コネクション再確立（connection re-establishment）プロシージャ、ＰＵＳＣＨの送信に対する同期（タ
イミング調整）、およびＰＵＳＣＨのためのリソースの要求の一部または全部を示すために少なくとも用いられてもよい。ランダムアクセスプリアンブルは、端末装置１の上位層より与えられるインデックス（ランダムアクセスプリアンブルインデックス）を基地局装置３に通知するために用いられてもよい。
【００５０】
図１において、上りリンクの無線通信では、以下の上りリンク物理シグナルが用いられる。上りリンク物理シグナルは、上位層から出力された情報を送信するために使用されなくてもよいが、物理層によって使用される。
・ＵＬ  ＤＭＲＳ（UpLink Demodulation Reference Signal）
・ＳＲＳ（Sounding Reference Signal）
・ＵＬ  ＰＴＲＳ（UpLink Phase Tracking Reference Signal）
ＵＬ  ＤＭＲＳは、ＰＵＳＣＨ、および／または、ＰＵＣＣＨの送信に関連する。ＵＬ
ＤＭＲＳは、ＰＵＳＣＨまたはＰＵＣＣＨと多重される。基地局装置３は、ＰＵＳＣＨまたはＰＵＣＣＨの伝搬路補正を行なうためにＵＬ  ＤＭＲＳを使用してよい。以下、Ｐ
ＵＳＣＨと、該ＰＵＳＣＨに関連するＵＬ  ＤＭＲＳを共に送信することを、単に、ＰＵＳＣＨを送信する、と称する。以下、ＰＵＣＣＨと該ＰＵＣＣＨに関連するＵＬ  ＤＭＲＳを共に送信することを、単に、ＰＵＣＣＨを送信する、と称する。ＰＵＳＣＨに関連するＵＬ  ＤＭＲＳは、ＰＵＳＣＨ用ＵＬ  ＤＭＲＳとも称される。ＰＵＣＣＨに関連するＵＬ  ＤＭＲＳは、ＰＵＣＣＨ用ＵＬ  ＤＭＲＳとも称される。
【００５１】
ＳＲＳは、ＰＵＳＣＨまたはＰＵＣＣＨの送信に関連しなくてもよい。基地局装置３は、チャネル状態の測定のためにＳＲＳを用いてもよい。ＳＲＳは、上りリンクスロットにおけるサブフレームの最後、または、最後から所定数のＯＦＤＭシンボルにおいて送信されてもよい。
【００５２】
ＵＬ  ＰＴＲＳは、位相トラッキングのために少なくとも用いられる参照信号であってもよい。ＵＬ  ＰＴＲＳは、１または複数のＵＬ  ＤＭＲＳに用いられるアンテナポートを少なくとも含むＵＬ  ＤＭＲＳグループに関連してもよい。ＵＬ  ＰＴＲＳとＵＬ  ＤＭＲＳグループが関連することは、ＵＬ  ＰＴＲＳのアンテナポートとＵＬ  ＤＭＲＳグループに含まれるアンテナポートの一部または全部が少なくともＱＣＬであることであってもよい。ＵＬ  ＤＭＲＳグループは、ＵＬ  ＤＭＲＳグループに含まれるＵＬ  ＤＭＲＳにおいて最も小さいインデックスのアンテナポートに少なくとも基づき識別されてもよい。ＵＬ  ＰＴＲＳは、１つのコードワードがマップされる１または複数のアンテナポートにおいて、最もインデックスの小さいアンテナポートにマップされてもよい。ＵＬ  ＰＴＲＳは、１つのコードワードが第１のレイヤ及び第２のレイヤに少なくともマップされる場合に、該第１のレイヤにマップされてもよい。ＵＬ  ＰＴＲＳは、該第２のレイヤにマップされなくてもよい。ＵＬ  ＰＴＲＳがマップされるアンテナポートのインデックスは、下りリンク制御情報に少なくとも基づき与えられてもよい。
【００５３】
図１において、基地局装置３から端末装置１への下りリンクの無線通信では、以下の下りリンク物理チャネルが用いられる。下りリンク物理チャネルは、上位層から出力された情報を送信するために、物理層によって使用される。
・ＰＢＣＨ（Physical Broadcast Channel）
・ＰＤＣＣＨ（Physical Downlink Control Channel）
・ＰＤＳＣＨ（Physical Downlink Shared Channel）
ＰＢＣＨは、マスターインフォメーションブロック（MIB:Master Information Block，
BCH， Broadcast Channel）を送信するために少なくとも用いられる。ＰＢＣＨは、所定の送信間隔に基づき送信されてもよい。ＰＢＣＨは、８０ｍｓの間隔で送信されてもよい。ＰＢＣＨは、１６０ｍｓの間隔で送信されてもよい。ＰＢＣＨに含まれる情報の中身は、８０ｍｓごとに更新されてもよい。ＰＢＣＨに含まれる情報の一部または全部は、１６０ｍｓごとに更新されてもよい。ＰＢＣＨは、２８８サブキャリアにより構成されてもよい。ＰＢＣＨは、２、３、または、４つのＯＦＤＭシンボルを含んで構成されてもよい。ＭＩＢは、同期信号の識別子（インデックス）に関連する情報を含んでもよい。ＭＩＢは、ＰＢＣＨが送信されるスロットの番号、サブフレームの番号、および／または、無線フレームの番号の少なくとも一部を指示する情報を含んでもよい。
【００５４】
ＰＤＣＣＨは、下りリンク制御情報（DCI:Downlink Control Information）の送信のために少なくとも用いられる。ＰＤＣＣＨは、下りリンク制御情報を少なくとも含んで送信されてもよい。ＰＤＣＣＨは下りリンク制御情報を含んでもよい。下りリンク制御情報は、ＤＣＩフォーマットとも呼称される。下りリンク制御情報は、下りリンクグラント（downlink grant）または上りリンクグラント（uplink grant）のいずれかを少なくとも含んでもよい。ＰＤＳＣＨのスケジューリングのために用いられるＤＣＩフォーマットは、下りリンクＤＣＩフォーマットとも呼称される。ＰＵＳＣＨのスケジューリングのために用いられるＤＣＩフォーマットは、上りリンクＤＣＩフォーマットとも呼称される。下りリ
ンクグラントは、下りリンクアサインメント（downlink assignment）または下りリンク
割り当て（downlink allocation）とも呼称される。
【００５５】
本実施形態の種々の態様において、特別な記載のない限り、リソースブロックの数は周波数領域におけるリソースブロックの数を示す。
【００５６】
下りリンクグラントは、１つのサービングセル内の１つのＰＤＳＣＨのスケジューリングのために少なくとも用いられる。
【００５７】
上りリンクグラントは、１つのサービングセル内の１つのＰＵＳＣＨのスケジューリングのために少なくとも用いられる。
【００５８】
１つの物理チャネルは、１つのサービングセルにマップされてもよい。１つの物理チャネルは、１つのサービングセルに含まれる１つのキャリアに設定される１つのＢＷＰにマップされてもよい。
【００５９】
端末装置１は、１または複数の制御リソースセット（CORESET:COntrol REsource SET）が設定されてもよい。端末装置１は、１または複数の制御リソースセットにおいてＰＤＣＣＨを監視する（monitor）。ここで、１または複数の制御リソースセットにおいてＰＤ
ＣＣＨを監視することは、１または複数の制御リソースセットのそれぞれに対応する１または複数のＰＤＣＣＨを監視することを含んでもよい。なお、ＰＤＣＣＨは、１または複数のＰＤＣＣＨ候補および／またはＰＤＣＣＨ候補のセットを含んでもよい。また、ＰＤＣＣＨを監視することは、ＰＤＣＣＨ、および／または、ＰＤＣＣＨを介して送信されるＤＣＩフォーマットを監視し、検出することを含んでもよい。
【００６０】
制御リソースセットは、１または複数のＰＤＣＣＨがマップされうる時間周波数領域を示してもよい。制御リソースセットは、端末装置１がＰＤＣＣＨを監視する領域であってもよい。制御リソースセットは、連続的なリソース（Localized resource）により構成されてもよい。制御リソースセットは、非連続的なリソース（distributed resource）により構成されてもよい。
【００６１】
周波数領域において、制御リソースセットのマッピングの単位はリソースブロックであってもよい。例えば、周波数領域において、制御リソースセットのマッピングの単位は６リソースブロックであってもよい。時間領域において、制御リソースセットのマッピングの単位はＯＦＤＭシンボルであってもよい。例えば、時間領域において、制御リソースセットのマッピングの単位は１ＯＦＤＭシンボルであってもよい。
【００６２】
制御リソースセットのリソースブロックへのマッピングは、上位層パラメータに少なくとも基づき与えられてもよい。該上位層パラメータは、リソースブロックのグループ（RBG:Resource Block Group）に対するビットマップを含んでもよい。該リソースブロックのグループは、６つの連続するリソースブロックにより与えられてもよい。
【００６３】
制御リソースセットを構成するＯＦＤＭシンボルの数は、上位層パラメータに少なくとも基づき与えられてもよい。
【００６４】
ある制御リソースセットは、共通制御リソースセット（Common control resource set
）であってもよい。共通制御リソースセットは、複数の端末装置１に対して共通に設定される制御リソースセットであってもよい。共通制御リソースセットは、ＭＩＢ、第１のシステム情報、第２のシステム情報、共通ＲＲＣシグナリング、および、セルＩＤの一部または全部に少なくとも基づき与えられてもよい。例えば、第１のシステム情報のスケジュ
ーリングのために用いられるＰＤＣＣＨを監視することが設定される制御リソースセットの時間リソース、および／または、周波数リソースは、ＭＩＢに少なくとも基づき与えられてもよい。
【００６５】
ＭＩＢで設定される制御リソースセットは、ＣＯＲＥＳＥＴ＃０とも呼称される。ＣＯＲＥＳＥＴ＃０は、インデックス＃０の制御リソースセットであってもよい。
【００６６】
ある制御リソースセットは、専用制御リソースセット（Dedicated control resource set）であってもよい。専用制御リソースセットは、端末装置１のために専用に用いられるように設定される制御リソースセットであってもよい。専用制御リソースセットは、専用ＲＲＣシグナリング、および、Ｃ−ＲＮＴＩの値の一部または全部に少なくとも基づき与えられてもよい。
【００６７】
端末装置１によって監視されるＰＤＣＣＨの候補のセットは、探索領域の観点から定義されてもよい。つまり、端末装置１によって監視されるＰＤＣＣＨ候補のセットは、探索領域によって与えられてもよい。
【００６８】
探索領域は、１または複数の集約レベル（Aggregation level）のＰＤＣＣＨ候補を１
または複数含んで構成されてもよい。ＰＤＣＣＨ候補の集約レベルは、該ＰＤＣＣＨを構成するＣＣＥの個数を示してもよい。ＰＤＤＣＨ候補は、１または複数のＣＣＥにマップされてもよい。
【００６９】
端末装置１は、ＤＲＸ（Discontinuous reception）が設定されないスロットにおいて
少なくとも１または複数の探索領域を監視してもよい。ＤＲＸは、上位層パラメータに少なくとも基づき与えられてもよい。端末装置１は、ＤＲＸが設定されないスロットにおいて少なくとも１または複数の探索領域セット（Search space set）を監視してもよい。
【００７０】
探索領域セットは、１または複数の探索領域を少なくとも含んで構成されてもよい。探索領域セットは、タイプ０−ＰＤＣＣＨ共通探索領域、タイプ０Ａ−ＰＤＣＣＨ共通探索領域、タイプ１−ＰＤＣＣＨ共通探索領域、タイプ２−ＰＤＣＣＨ共通探索領域、タイプ３−ＰＤＣＣＨ共通探索領域、および／または、ＵＥ固有探索領域（USS:UE-specific Search Space）の一部または全部を少なくとも含んでもよい。タイプ０−ＰＤＣＣＨ共通探索領域は、第１の下りリンクＤＣＩフォーマットの監視のために少なくとも設定されてもよい。タイプ１−ＰＤＣＣＨ共通探索領域は、第１の下りリンクＤＣＩフォーマットの監視のために少なくとも設定されてもよい。ＵＥ固有探索領域は、第１の下りリンクＤＣＩフォーマット、第２の下りリンクＤＣＩフォーマット、第１の上りリンクＤＣＩフォーマット、および／または、第２の上りリンクＤＣＩフォーマットの一部または全部の監視のために少なくとも設定されてもよい。ここで、第１の下りリンクＤＣＩフォーマットはＤＣＩフォーマット１＿０であってもよい。また、第２の下りリンクＤＣＩフォーマットはＤＣＩフォーマット１＿１であってもよい。また、第１の上りリンクＤＣＩフォーマットはＤＣＩフォーマット０＿０であってもよい。また、第２の上りリンクＤＣＩフォーマットはＤＣＩフォーマット０＿１であってもよい。
【００７１】
タイプ０−ＰＤＣＣＨ共通探索領域、タイプ０Ａ−ＰＤＣＣＨ共通探索領域、タイプ１−ＰＤＣＣＨ共通探索領域、タイプ２−ＰＤＣＣＨ共通探索領域、および、タイプ３−ＰＤＣＣＨ共通探索領域は、共通探索領域（CSS:Common Search Space）とも呼称される。
【００７２】
探索領域セットのそれぞれは、１つの制御リソースセットに少なくとも関連してもよい。探索領域セットのそれぞれは、１つの制御リソースセットに含まれてもよい。探索領域セットのそれぞれに対して、該探索領域セットに関連する制御リソースセットのインデッ
クスが与えられてもよい。
【００７３】
タイプ０−ＰＤＣＣＨ共通探索領域は、ＳＩ−ＲＮＴＩ（System Information-Radio Network Temporary Identifier）によってスクランブルされたＣＲＣ（Cyclic Redundancy
Check）系列を伴うＤＣＩフォーマットのために少なくとも用いられてもよい。タイプ０−ＰＤＣＣＨ共通探索領域に少なくとも関連する制御リソースセットの設定は、上位層パラメータｓｅａｒｃｈＳｐａｃｅＺｅｒｏに少なくとも基づき与えられてもよい。上位層パラメータｓｅａｒｃｈＳｐａｃｅＺｅｒｏは、ＭＩＢに含まれてもよい。上位層パラメータｓｅａｒｃｈＳｐａｃｅＺｅｒｏは、タイプ０−ＰＤＣＣＨ共通探索領域に少なくとも関連する制御リソースセットに含まれるリソースブロックの数、該制御リソースセットに含まれるＯＦＤＭシンボルの数の一方または両方を少なくとも示してもよい。上位層パラメータｓｅａｒｃｈＳｐａｃｅＺｅｒｏはＭＩＢに含まれる情報フィールドにより示されてもよい。
【００７４】
タイプ０Ａ−ＰＤＣＣＨ共通探索領域は、ＳＩ−ＲＮＴＩによってスクランブルされたＣＲＣ系列を伴うＤＣＩフォーマットのために少なくとも用いられてもよい。タイプ０Ａ−ＰＤＣＣＨ共通探索領域に少なくとも関連する制御リソースセットの設定は、上位層パラメータｓｅａｒｃｈＳｐａｃｅ−ＯＳＩに少なくとも基づき与えられてもよい。上位層パラメータｓｅａｒｃｈＳｐａｃｅ−ＯＳＩは上位層情報要素ＰＤＣＣＨ−ＣｏｎｆｉｇＣｏｍｍｏｎに含まれてもよい。
【００７５】
タイプ１−ＰＤＣＣＨ共通探索領域は、ＲＡ−ＲＮＴＩ（Random Access-Radio Network Temporary Identifier）によってスクランブルされたＣＲＣ系列、ＴＣ−ＲＮＴＩ（Temporary Common-Radio Network Temporary Identifier）によってスクランブルされたＣ
ＲＣ系列、および／または、Ｃ−ＲＮＴＩ（Common-Radio Network Temporary Identifier）によってスクランブルされたＣＲＣ系列を伴うＤＣＩフォーマットのために少なくと
も用いられてもよい。ＲＡ−ＲＮＴＩは、端末装置１によって送信されるランダムアクセスプリアンブルの時間／周波数リソースに少なくとも基づき与えられてもよい。ＴＣ−ＲＮＴＩは、ＲＡ−ＲＮＴＩによってスクランブルされたＣＲＣ系列を伴うＤＣＩフォーマットによりスケジューリングされるＰＤＳＣＨ（メッセージ２、または、ランダムアクセスレスポンスグラントとも呼称される）により与えられてもよい。Ｃ−ＲＮＴＩは、ＴＣ−ＲＮＴＩによってスクランブルされたＣＲＣ系列を伴うＤＣＩフォーマットによりスケジューリングされるＰＤＳＣＨ（メッセージ４、または、コンテンションレゾリューションとも呼称される）に少なくとも基づき与えられてもよい。
【００７６】
タイプ２−ＰＤＣＣＨ共通探索領域は、Ｐ−ＲＮＴＩ（Paging-Radio Network Temporary Identifier）によってスクランブルされたＣＲＣ系列を伴うＤＣＩフォーマットのた
めに少なくとも用いられてもよい。
【００７７】
タイプ３−ＰＤＣＣＨ共通探索領域は、ＩＮＴ−ＲＮＴＩ（Interruption-Radio Network Temporary Identifier）によってスクランブルされたＣＲＣ系列、ＳＦＩ−ＲＮＴＩ
（Slot Format Indication-Radio Network Temporary Identifier）によってスクランブ
ルされたＣＲＣ系列、ＴＰＣ−ＰＵＳＣＨ−ＲＮＴＩ（Transmit Power Control PUSCH-Radio Network Temporary Identifier）によってスクランブルされたＣＲＣ系列、ＴＰＣ
−ＰＵＣＣＨ−ＲＮＴＩ（Transmit Power Control PUCCH -Radio Network Temporary Identifier）によってスクランブルされたＣＲＣ系列、ＴＰＣ−ＳＲＳ−ＲＮＴＩ（Transmit Power Control Sounding Reference Symbols-Radio Network Temporary Identifier）によってスクランブルされたＣＲＣ系列、ＣＳ−ＲＮＴＩ（Configured Scheduling-Radio Network Temporary Identifier）によってスクランブルされたＣＲＣ系列、ＳＰ−ＣＳＩ−ＲＮＴＩ（Semi-Persistent CSI-Radio Network Temporary Identifier）によってス
クランブルされたＣＲＣ系列、および／または、Ｃ−ＲＮＴＩによってスクランブルされたＣＲＣ系列を伴うＤＣＩフォーマットのために少なくとも用いられてもよい。
【００７８】
ＵＥ固有探索領域は、Ｃ−ＲＮＴＩによってスクランブルされたＣＲＣ系列を伴うＤＣＩフォーマットのために少なくとも用いられてもよい。
【００７９】
共通制御リソースセットは、ＣＳＳおよびＵＳＳの一方または両方を少なくとも含んでもよい。専用制御リソースセットは、ＣＳＳおよびＵＳＳの一方または両方を少なくとも含んでもよい。ある探索領域セットがＣＳＳであるかＵＳＳであるかは、上位層パラメータに少なくとも基づき与えられてもよい。
【００８０】
探索領域の物理リソースは制御チャネルの構成単位（CCE:Control Channel Element）
により構成される。ＣＣＥは所定の数のリソース要素グループ（REG:Resource Element Group）により構成される。例えば、ＣＣＥは６個のＲＥＧにより構成されてもよい。ＲＥＧは１つのＰＲＢ（Physical Resource Block）の１ＯＦＤＭシンボルにより構成されて
もよい。つまり、ＲＥＧは１２個のリソースエレメント（RE:Resource Element）を含ん
で構成されてもよい。ＰＲＢは、単にＲＢ（Ｒｅｓｏｕｒｃｅ  Ｂｌｏｃｋ：リソースブロック）とも呼称される。
【００８１】
ＰＤＳＣＨは、トランスポートブロックを送信するために少なくとも用いられる。ＰＤＳＣＨは、ランダムアクセスメッセージ２（ランダムアクセスレスポンス）を送信するために少なくとも用いられてもよい。ＰＤＳＣＨは、初期アクセスのために用いられるパラメータを含むシステム情報を送信するために少なくとも用いられてもよい。
【００８２】
図１において、下りリンクの無線通信では、以下の下りリンク物理シグナルが用いられる。下りリンク物理シグナルは、上位層から出力された情報を送信するために使用されなくてもよいが、物理層によって使用される。
・同期信号（SS:Synchronization signal）
・ＤＬ  ＤＭＲＳ（DownLink DeModulation Reference Signal）
・ＣＳＩ−ＲＳ（Channel State Information-Reference Signal）
・ＤＬ  ＰＴＲＳ（DownLink Phase Tracking Reference Signal）
・ＴＲＳ（Tracking Reference Signal）
同期信号は、端末装置１が下りリンクの周波数領域、および／または、時間領域の同期をとるために用いられる。同期信号は、ＰＳＳ（Primary Synchronization Signal）、および、ＳＳＳ（Secondary Synchronization Signal）を含む。
【００８３】
ＳＳブロック（ＳＳ／ＰＢＣＨブロック）は、ＰＳＳ、ＳＳＳ、および、ＰＢＣＨの一部または全部を少なくとも含んで構成される。ＳＳブロックに含まれるＰＳＳ、ＳＳＳ、および、ＰＢＣＨの一部または全部のそれぞれのアンテナポートは同一であってもよい。ＳＳブロックに含まれるＰＳＳ、ＳＳＳ、およびＰＢＣＨの一部または全部は、連続するＯＦＤＭシンボルにマップされてもよい。ＳＳブロックに含まれるＰＳＳ、ＳＳＳ、および、ＰＢＣＨの一部または全部のそれぞれのＣＰ設定は同一であってもよい。ＳＳブロックに含まれるＰＳＳ、ＳＳＳ、および、ＰＢＣＨの一部または全部のそれぞれのサブキャリア間隔の設定μは同一であってもよい。
【００８４】
ＤＬ  ＤＭＲＳは、ＰＢＣＨ、ＰＤＣＣＨ、および／または、ＰＤＳＣＨの送信に関連する。ＤＬ  ＤＭＲＳは、ＰＢＣＨ、ＰＤＣＣＨ、および／または、ＰＤＳＣＨに多重される。端末装置１は、ＰＢＣＨ、ＰＤＣＣＨ、または、ＰＤＳＣＨの伝搬路補正を行なうために該ＰＢＣＨ、該ＰＤＣＣＨ、または、該ＰＤＳＣＨと対応するＤＬ  ＤＭＲＳを使用してよい。以下、ＰＢＣＨと、該ＰＢＣＨと関連するＤＬ  ＤＭＲＳが共に送信される
ことは、ＰＢＣＨが送信されると呼称される。また、ＰＤＣＣＨと、該ＰＤＣＣＨと関連するＤＬ  ＤＭＲＳが共に送信されることは、単にＰＤＣＣＨが送信されると呼称される。また、ＰＤＳＣＨと、該ＰＤＳＣＨと関連するＤＬ  ＤＭＲＳが共に送信されることは、単にＰＤＳＣＨが送信されると呼称される。ＰＢＣＨと関連するＤＬ  ＤＭＲＳは、ＰＢＣＨ用ＤＬ  ＤＭＲＳとも呼称される。ＰＤＳＣＨと関連するＤＬ  ＤＭＲＳは、ＰＤＳＣＨ用ＤＬ  ＤＭＲＳとも呼称される。ＰＤＣＣＨと関連するＤＬ  ＤＭＲＳは、ＰＤＣＣＨと関連するＤＬ  ＤＭＲＳとも呼称される。
【００８５】
ＤＬ  ＤＭＲＳは、端末装置１に個別に設定される参照信号であってもよい。ＤＬ  ＤＭＲＳの系列は、端末装置１に個別に設定されるパラメータに少なくとも基づいて与えられてもよい。ＤＬ  ＤＭＲＳの系列は、ＵＥ固有の値（例えば、Ｃ−ＲＮＴＩ等）に少なくとも基づき与えられてもよい。ＤＬ  ＤＭＲＳは、ＰＤＣＣＨ、および／または、ＰＤＳＣＨのために個別に送信されてもよい。
【００８６】
ＣＳＩ−ＲＳは、チャネル状態情報を算出するために少なくとも用いられる信号であってもよい。端末装置によって想定されるＣＳＩ−ＲＳのパターンは、少なくとも上位層パラメータにより与えられてもよい。
【００８７】
ＰＴＲＳは、位相雑音の補償のために少なくとも用いられる信号であってもよい。端末装置によって想定されるＰＴＲＳのパターンは、上位層パラメータ、および／または、ＤＣＩに少なくとも基づき与えられてもよい。
【００８８】
ＤＬ  ＰＴＲＳは、１または複数のＤＬ  ＤＭＲＳに用いられるアンテナポートを少なくとも含むＤＬ  ＤＭＲＳグループに関連してもよい。ＤＬ  ＰＴＲＳとＤＬ  ＤＭＲＳグループが関連することは、ＤＬ  ＰＴＲＳのアンテナポートとＤＬ  ＤＭＲＳグループに含まれるアンテナポートの一部または全部が少なくともＱＣＬであることであってもよい。ＤＬ  ＤＭＲＳグループは、ＤＬ  ＤＭＲＳグループに含まれるＤＬ  ＤＭＲＳにおいて最も小さいインデックスのアンテナポートに少なくとも基づき識別されてもよい。
【００８９】
ＴＲＳは、時間、および／または、周波数の同期のために少なくとも用いられる信号であってもよい。端末装置によって想定されるＴＲＳのパターンは、上位層パラメータ、および／または、ＤＣＩに少なくとも基づき与えられてもよい。
【００９０】
下りリンク物理チャネルおよび下りリンク物理シグナルは、下りリンク信号とも呼称される。上りリンク物理チャネルおよび上りリンク物理シグナルは、上りリンク信号とも呼称される。下りリンク信号および上りリンク信号はまとめて物理信号とも呼称される。下りリンク信号および上りリンク信号はまとめて信号とも呼称される。下りリンク物理チャネルおよび上りリンク物理チャネルを総称して、物理チャネルと称する。下りリンク物理シグナルおよび上りリンク物理シグナルを総称して、物理シグナルと称する。
【００９１】
ＢＣＨ（Broadcast CHannel）、ＵＬ−ＳＣＨ（Uplink-Shared CHannel）およびＤＬ−ＳＣＨ（Downlink-Shared CHannel）は、トランスポートチャネルである。媒体アクセス
制御（MAC:Medium Access Control）層で用いられるチャネルはトランスポートチャネル
と呼称される。ＭＡＣ層で用いられるトランスポートチャネルの単位は、トランスポートブロック（TB）またはＭＡＣ  ＰＤＵとも呼称される。ＭＡＣ層においてトランスポートブロック毎にＨＡＲＱ（Hybrid Automatic Repeat reQuest）の制御が行なわれる。トラ
ンスポートブロックは、ＭＡＣ層が物理層に渡す（deliver）データの単位である。物理
層において、トランスポートブロックはコードワードにマップされ、コードワード毎に変調処理が行なわれる。
【００９２】
基地局装置３と端末装置１は、上位層（higher layer）において上位層の信号をやり取り（送受信）する。例えば、基地局装置３と端末装置１は、無線リソース制御（RRC:Radio Resource Control）層において、ＲＲＣシグナリング（RRC message:Radio Resource Control message、RRC information:Radio Resource Control information）を送受信してもよい。また、基地局装置３と端末装置１は、ＭＡＣ層において、ＭＡＣ  ＣＥ（Control Element）を送受信してもよい。ここで、ＲＲＣシグナリング、および／または、ＭＡ
Ｃ  ＣＥを、上位層の信号（higher layer signaling）とも称する。
【００９３】
ＰＵＳＣＨおよびＰＤＳＣＨは、ＲＲＣシグナリング、および／または、ＭＡＣ  ＣＥを送信するために少なくとも用いられてよい。ここで、基地局装置３よりＰＤＳＣＨで送信されるＲＲＣシグナリングは、サービングセル内における複数の端末装置１に対して共通のシグナリングであってもよい。サービングセル内における複数の端末装置１に対して共通のシグナリングは、共通ＲＲＣシグナリングとも呼称される。基地局装置３からＰＤＳＣＨで送信されるＲＲＣシグナリングは、ある端末装置１に対して専用のシグナリング（ｄｅｄｉｃａｔｅｄ  ｓｉｇｎａｌｉｎｇまたはＵＥ  ｓｐｅｃｉｆｉｃ  ｓｉｇｎａｌｉｎｇとも呼称される）であってもよい。端末装置１に対して専用のシグナリングは、専用ＲＲＣシグナリングとも呼称される。サービングセルにおいて固有な上位層パラメータは、サービングセル内における複数の端末装置１に対して共通のシグナリング、または、ある端末装置１に対して専用のシグナリングを用いて送信されてもよい。ＵＥ固有な上位層パラメータは、ある端末装置１に対して専用のシグナリングを用いて送信されてもよい。
【００９４】
ＢＣＣＨ（Broadcast Control CHannel）、ＣＣＣＨ（Common Control CHannel）、お
よび、ＤＣＣＨ（Dedicated Control CHannel）は、ロジカルチャネルである。例えば、
ＢＣＣＨは、ＭＩＢを送信するために用いられる上位層のチャネルである。また、ＣＣＣＨ（Common Control CHannel）は、複数の端末装置１において共通な情報を送信するために用いられる上位層のチャネルである。ここで、ＣＣＣＨは、例えば、ＲＲＣ接続されていない端末装置１のために用いられてもよい。また、ＤＣＣＨ（Dedicated Control CHannel）は、端末装置１に専用の制御情報（dedicated control information）を送信するために少なくとも用いられる上位層のチャネルである。ここで、ＤＣＣＨは、例えば、ＲＲＣ接続されている端末装置１のために用いられてもよい。
【００９５】
ロジカルチャネルにおけるＢＣＣＨは、トランスポートチャネルにおいてＢＣＨ、ＤＬ−ＳＣＨ、または、ＵＬ−ＳＣＨにマップされてもよい。ロジカルチャネルにおけるＣＣＣＨは、トランスポートチャネルにおいてＤＬ−ＳＣＨまたはＵＬ−ＳＣＨにマップされてもよい。ロジカルチャネルにおけるＤＣＣＨは、トランスポートチャネルにおいてＤＬ−ＳＣＨまたはＵＬ−ＳＣＨにマップされてもよい。
【００９６】
トランスポートチャネルにおけるＵＬ−ＳＣＨは、物理チャネルにおいてＰＵＳＣＨにマップされてもよい。トランスポートチャネルにおけるＤＬ−ＳＣＨは、物理チャネルにおいてＰＤＳＣＨにマップされてもよい。トランスポートチャネルにおけるＢＣＨは、物理チャネルにおいてＰＢＣＨにマップされてもよい。
【００９７】
以下、本実施形態の一態様に係る端末装置１の構成例を説明する。
【００９８】
図４は、本実施形態の一態様に係る端末装置１の構成を示す概略ブロック図である。図示するように、端末装置１は、無線送受信部１０、および、上位層処理部１４を含んで構成される。無線送受信部１０は、アンテナ部１１、ＲＦ（Radio Frequency）部１２、お
よび、ベースバンド部１３の一部または全部を少なくとも含んで構成される。上位層処理部１４は、媒体アクセス制御層処理部１５、および、無線リソース制御層処理部１６の一
部または全部を少なくとも含んで構成される。無線送受信部１０を送信部、受信部、または、物理層処理部とも称する。
【００９９】
上位層処理部１４は、ユーザーの操作等により生成された上りリンクデータ（トランスポートブロック）を、無線送受信部１０に出力する。上位層処理部１４は、ＭＡＣ層、パケットデータ統合プロトコル（PDCP:Packet Data Convergence Protocol）層、無線リン
ク制御（RLC:Radio Link Control）層、ＲＲＣ層の処理を行なう。
【０１００】
上位層処理部１４が備える媒体アクセス制御層処理部１５は、ＭＡＣ層の処理を行う。
【０１０１】
上位層処理部１４が備える無線リソース制御層処理部１６は、ＲＲＣ層の処理を行う。無線リソース制御層処理部１６は、自装置の各種設定情報／パラメータの管理をする。無線リソース制御層処理部１６は、基地局装置３から受信した上位層の信号に基づいて各種設定情報／パラメータをセットする。すなわち、無線リソース制御層処理部１６は、基地局装置３から受信した各種設定情報／パラメータを示す情報に基づいて各種設定情報／パラメータをセットする。尚、該設定情報は、物理チャネルや物理シグナル（つまり、物理層）、ＭＡＣ層、ＰＤＣＰ層、ＲＬＣ層、ＲＲＣ層の処理または設定に関連する情報を含んでもよい。該パラメータは上位層パラメータであってもよい。
【０１０２】
無線送受信部１０は、変調、復調、符号化、復号化などの物理層の処理を行う。無線送受信部１０は、受信した物理信号を、分離、復調、復号し、復号した情報を上位層処理部１４に出力する。無線送受信部１０は、データを変調、符号化、ベースバンド信号生成（時間連続信号への変換）することによって物理信号を生成し、基地局装置３に送信する。
【０１０３】
ＲＦ部１２は、アンテナ部１１を介して受信した信号を、直交復調によりベースバンド信号に変換し（ダウンコンバート：ｄｏｗｎ  ｃｏｖｅｒｔ）、不要な周波数成分を除去する。ＲＦ部１２は、処理をしたアナログ信号をベースバンド部に出力する。
【０１０４】
ベースバンド部１３は、ＲＦ部１２から入力されたアナログ信号をディジタル信号に変換する。ベースバンド部１３は、変換したディジタル信号からＣＰ（Cyclic Prefix）に
相当する部分を除去し、ＣＰを除去した信号に対して高速フーリエ変換（FFT:Fast Fourier Transform）を行い、周波数領域の信号を抽出する。
【０１０５】
ベースバンド部１３は、データを逆高速フーリエ変換（IFFT:Inverse Fast Fourier Transform）して、ＯＦＤＭシンボルを生成し、生成されたＯＦＤＭシンボルにＣＰを付加
し、ベースバンドのディジタル信号を生成し、ベースバンドのディジタル信号をアナログ信号に変換する。ベースバンド部１３は、変換したアナログ信号をＲＦ部１２に出力する。
【０１０６】
ＲＦ部１２は、ローパスフィルタを用いてベースバンド部１３から入力されたアナログ信号から余分な周波数成分を除去し、アナログ信号を搬送波周波数にアップコンバート（up convert）し、アンテナ部１１を介して送信する。また、ＲＦ部１２は、電力を増幅する。また、ＲＦ部１２は送信電力を制御する機能を備えてもよい。ＲＦ部１２を送信電力制御部とも称する。
【０１０７】
以下、本実施形態の一態様に係る基地局装置３の構成例を説明する。
【０１０８】
図５は、本実施形態の一態様に係る基地局装置３の構成を示す概略ブロック図である。図示するように、基地局装置３は、無線送受信部３０、および、上位層処理部３４を含んで構成される。無線送受信部３０は、アンテナ部３１、ＲＦ部３２、および、ベースバン
ド部３３を含んで構成される。上位層処理部３４は、媒体アクセス制御層処理部３５、および、無線リソース制御層処理部３６を含んで構成される。無線送受信部３０を送信部、受信部、または、物理層処理部とも称する。
【０１０９】
上位層処理部３４は、ＭＡＣ層、ＰＤＣＰ層、ＲＬＣ層、ＲＲＣ層の処理を行なう。
【０１１０】
上位層処理部３４が備える媒体アクセス制御層処理部３５は、ＭＡＣ層の処理を行う。
【０１１１】
上位層処理部３４が備える無線リソース制御層処理部３６は、ＲＲＣ層の処理を行う。無線リソース制御層処理部３６は、ＰＤＳＣＨに配置される下りリンクデータ（トランスポートブロック）、システム情報、ＲＲＣメッセージ、ＭＡＣ  ＣＥなどを生成し、又は上位ノードから取得し、無線送受信部３０に出力する。また、無線リソース制御層処理部３６は、端末装置１各々の各種設定情報／パラメータの管理をする。無線リソース制御層処理部３６は、上位層の信号を介して端末装置１各々に対して各種設定情報／パラメータをセットしてもよい。すなわち、無線リソース制御層処理部３６は、各種設定情報／パラメータを示す情報を送信／報知する。尚、該設定情報は、物理チャネルや物理シグナル（つまり、物理層）、ＭＡＣ層、ＰＤＣＰ層、ＲＬＣ層、ＲＲＣ層の処理または設定に関連する情報を含んでもよい。該パラメータは上位層パラメータであってもよい。
【０１１２】
無線送受信部３０の機能は、無線送受信部１０と同様であるため説明を省略する。
【０１１３】
端末装置１が備える符号１０から符号１６が付された部のそれぞれは、回路として構成されてもよい。基地局装置３が備える符号３０から符号３６が付された部のそれぞれは、回路として構成されてもよい。
【０１１４】
ＰＤＣＣＨの下りリンク制御情報の符号化ビットの系列はスクランブリング系列ｃ（ｉ）によってスクランブルされる。該ＰＤＣＣＨの下りリンク制御情報の符号化ビットの系列のスクランブルのためのスクランブリング系列ｃ（ｉ）は、値ｎＲＮＴＩ、および／または、値ｎＩＤに少なくとも基づいて初期化されてもよい。１つの制御リソースセットに対して上位層パラメータｐｄｃｃｈ−ＤＭＲＳ−ＳｃｒａｍｂｌｉｎｇＩＤが設定される、且つ、該ＰＤＣＣＨがマップされる探索領域セットの種類がＵＳＳである場合、値ｎＩＤの値は上位層パラメータｐｄｃｃｈ−ＤＭＲＳ−ＳｃｒａｍｂｌｉｎｇＩＤによって与えられ、ｎＲＮＴＩの値はＣ−ＲＮＴＩによって与えられてもよい。また、１つの制御リソースセットに対して上位層パラメータｐｄｃｃｈ−ＤＭＲＳ−ＳｃｒａｍｂｌｉｎｇＩＤが設定されない、または、該ＰＤＣＣＨがマップされる探索領域セットの種類がＣＳＳである場合、ｎＩＤの値は物理層セルＩＤ  ＮＩＤｃｅｌｌによって与えられ、ｎＲＮＴＩの値は０であってもよい。ここでの探索領域セットは、制御リソースセットに含まれる探索領域セットであってもよい。探索領域セットの種類はＣＳＳとＵＳＳを含む。例えば、ＣＳＳは、タイプ０−ＰＤＣＣＨ共通探索領域、タイプ０Ａ−ＰＤＣＣＨ共通探索領域、タイプ１−ＰＤＣＣＨ共通探索領域、タイプ２−ＰＤＣＣＨ共通探索領域、および／または、タイプ３−ＰＤＣＣＨ共通探索領域の一部または全部を少なくとも含んでもよい。ＵＳＳは、ＵＥ固有探索領域を少なくとも含んでもよい。尚、上位層パラメータｐｄｃｃｈ−ＤＭＲＳ−ＳｃｒａｍｂｌｉｎｇＩＤは、複数の制御リソースセットが設定可能な場合、制御リソースセット毎に設定されてもよい。
【０１１５】
ＰＤＣＣＨのためのＤＭＲＳ系列はスクランブリング系列ｃ（ｉ）によってスクランブルされる。該ＰＤＣＣＨのためのＤＭＲＳ系列をスクランブルするためのスクランブリング系列ｃ（ｉ）は少なくとも値ｎＩＤによって初期化されてもよい。ここでのｎＩＤは、ＰＤＣＣＨのスクランブリング系列のためのｎＩＤと異なり、独立して設定してもよい。該ＰＤＣＣＨがマップされる制御リソースセットに対して上位層パラメータｐｄｃｃｈ−
ＤＭＲＳ−ＳｃｒａｍｂｌｉｎｇＩＤが設定される、且つ、該探索領域セットの種類がＵＳＳである場合、ｎＩＤの値は該上位層パラメータｐｄｃｃｈ−ＤＭＲＳ−ＳｃｒａｍｂｌｉｎｇＩＤによって与えられてもよい。上位層パラメータｐｄｃｃｈ−ＤＭＲＳ−ＳｃｒａｍｂｌｉｎｇＩＤが設定されない場合、ｎＩＤの値はＮＩＤｃｅｌｌによって与えられてもよい。
【０１１６】
端末装置１の無線送受信部１０および基地局装置３の無線送受信部３０は、ＣＣＥが非重複なＣＣＥ（non-overlapped CCE）であるか否かを判定してもよい。ＣＣＥが所定の条件Ａを満たす場合、該ＣＣＥは非重複なＣＣＥ（non-overlapped CCE）であると認定されてもよい。ＣＣＥが所定の条件Ａを満たさない場合、該ＣＣＥは非重複なＣＣＥではないと認定されてもよい。ＣＣＥが所定の条件Ａを満たさない場合、該ＣＣＥは重複なＣＣＥ（overlapped CCE）であると認定されてもよい。ここで、該所定の条件Ａは条件Ａ１から条件Ａ５の一部または全部を少なくとも含んでもよい。
条件Ａ１：該ＣＣＥが、異なる制御リソースセット（および／または異なるインデックスの制御リソースセット）に対応する
条件Ａ２：該ＣＣＥが、各ＰＤＣＣＨ候補の受信に対して異なる先頭シンボル（および／または異なるシンボルインデックスの先頭シンボル）に対応する
条件Ａ３：該ＣＣＥが、異なる種類の探索領域セットに対応する
条件Ａ４：該ＣＣＥに対応する制御リソースセットにパラメータｐｄｃｃｈ−ＤＭＲＳ−ＳｃｒａｍｂｌｉｎｇＩＤが設定される
条件Ａ５：該ＣＣＥに対応する探索領域セットのそれぞれに対応するＰＤＣＣＨのためのＤＭＲＳ系列のスクランブリング系列ｃ（ｉ）の初期化に用いられる値ＮＩＤが異なる
他の一例として、ＣＣＥが所定の条件Ｂを満たす場合、該ＣＣＥは非重複なＣＣＥ（non-overlapped CCE）と認定されてもよい。ＣＣＥが所定の条件Ｂを満たさない場合、該ＣＣＥは重複なＣＣＥ（overlapped CCE）と認定されてもよい。ここで、該所定の条件Ｂは条件Ｂ１から条件Ｂ４の一部または全部を少なくとも含んでもよい。
条件Ｂ１：該ＣＣＥが、異なる制御リソースセット（および／または異なるインデックスの制御リソースセット）に対応する
条件Ｂ２：該ＣＣＥが、各ＰＤＣＣＨ候補の受信に対して異なる先頭シンボル（および／または異なるシンボルインデックスの先頭シンボル）に対応する
条件Ｂ３：該ＣＣＥが、各ＰＤＣＣＨ候補の受信に対して異なるスクランブリング系列でスクランブルされている（例えば、スクランブリング系列の生成に用いられるパラメータが異なる）
条件Ｂ４：該ＣＣＥに対応する探索領域セットのそれぞれに対応するＰＤＣＣＨのためのＤＭＲＳの参照信号系列が異なる（例えば、参照信号系列の生成に用いられるパラメータが異なる）
尚、条件Ａと条件Ａ１から条件Ａ５との関係の一例としては、条件Ａ１から条件Ａ５の論理和を取る方法がある。つまり、条件Ａ１から条件Ａ５のうち、少なくとも１つの条件を満たす場合は条件Ａを満たすとしてもよい。同様に、条件Ｂと条件Ｂ１から条件Ｂ４との関係の一例として、条件Ｂ１から条件Ｂ４の論理和を取る方法を用いてもよい。
【０１１７】
所定の条件ａに少なくとも基づき、ＣＣＥが非重複なＣＣＥ（non-overlapped CCE）であるか重複なＣＣＥ（overlapped CCE）であるかが認定されてもよい。ここで、該所定の条件ａは条件ａ１から条件ａ５の一部または全部を少なくとも含んでもよい。
条件ａ１：該ＣＣＥが、異なる制御リソースセット（および／または異なるインデックスの制御リソースセット）に対応するか否か
条件ａ２：該ＣＣＥが、各ＰＤＣＣＨ候補の受信に対して異なる先頭シンボル（および／または異なるシンボルインデックスの先頭シンボル）に対応するか否か
条件ａ３：該ＣＣＥが、異なる種類の探索領域セットに対応するか否か
条件ａ４：該ＣＣＥに対応する制御リソースセットにパラメータｐｄｃｃｈ−ＤＭＲＳ−
ＳｃｒａｍｂｌｉｎｇＩＤが設定されるか否か
条件ａ５：該ＣＣＥに対応する探索領域セットのそれぞれに対応するＰＤＣＣＨのためのＤＭＲＳ系列のスクランブリング系列ｃ（ｉ）の初期化に用いられる値ＮＩＤが異なるか否か
図６は、本実施形態の一態様に係る、ＰＤＣＣＨ候補を割り当てる時において、あるＣＣＥが非重複なＣＣＥ（non-overlapped CCE）であるか重複なＣＣＥ（overlapped CCE）であるかを判定する方法を示す図である。図６において、制御リソースセット６０および制御リソースセット６１が端末装置１に設定される。また、制御リソースセット６０は、探索領域セット６００、および、探索領域セット６０１を含む。また、制御リソースセット６１は、探索領域セット６１０を含む。また、探索領域セット６００は、ＰＤＣＣＨ候補６００１を含む。また、探索領域セット６０１は、ＰＤＣＣＨ候補６０１１を含む。また、探索領域セット６１０は、ＰＤＣＣＨ候補６１０１を含む。また、ＰＤＣＣＨ候補６００１は、ＣＣＥ６０００に少なくともマップされる。また、ＰＤＣＣＨ候補６０１１は、ＣＣＥ６０１０に少なくともマップされる。また、ＰＤＣＣＨ候補６１０１は、ＣＣＥ６１００に少なくともマップされる。
例えば、第１の例において、制御リソースセット６０に探索領域セット６００が設定され、探索領域セット６００に含まれるＰＤＣＣＨ候補６００１が少なくともＣＣＥ６０００にマップされ、制御リソースセット６１に探索領域セット６１０が設定され、探索領域セット６１０に含まれるＰＤＣＣＨ候補６１０１が少なくともＣＣＥ６１００にマップされる場合、ＣＣＥ６０００とＣＣＥ６１００は非重複なＣＣＥと認定されてもよい。ここで、ＣＣＥ６０００のインデックスは、ＣＣＥ６１００のインデックスと同じでもよいし、異なってもよい。ここで、ＣＣＥ６０００が対応するサブキャリアは、ＣＣＥ６１００が対応するサブキャリアと同じでもよいし、異なってもよい。ここで、ＣＣＥ６０００を構成するリソースエレメントは、ＣＣＥ６１００を構成するリソースエレメントと同じでもよいし、異なってもよい。
【０１１８】
第２の例において、制御リソースセット６０に探索領域セット６００が設定され、探索領域セット６００に含まれるＰＤＣＣＨ候補６００１が少なくともＣＣＥ６０００にマップされ、制御リソースセット６０に探索領域セット６０１が設定され、探索領域セット６０１に含まれるＰＤＣＣＨ候補６０１１が少なくともＣＣＥ６０１０にマップされ、且つ、探索領域セット６００の探索機会（monitoring occasion）の先頭のＯＦＤＭシンボル
と探索領域セット６０１の探索機会の先頭のＯＦＤＭシンボルが異なる場合、ＣＣＥ６０００とＣＣＥ６０１０は非重複なＣＣＥと認定されてもよい。ここで、ＣＣＥ６０００のインデックスは、ＣＣＥ６０１０のインデックスと同じでもよいし、異なってもよい。ここで、ＣＣＥ６０００が対応するサブキャリアは、ＣＣＥ６０１０が対応するサブキャリアと同じでもよいし、異なってもよい。
【０１１９】
探索領域セットの探索機会の先頭のＯＦＤＭシンボルは、監視する上位層パラメータｍｏｎｉｔｏｒｉｎｇＳｙｍｂｏｌｓＷｉｔｈｉｎＳｌｏｔによって与えられてもよい。各ＰＤＣＣＨ候補の受信に対して先頭のＯＦＤＭシンボルが異なることは、あるスロットにおいて、ある制御リソースセットの第１のＰＤＣＣＨ候補の先頭のＯＦＤＭシンボルと第２のＰＤＣＣＨ候補の先頭のＯＦＤＭシンボルが異なることである。
【０１２０】
第３の例において、制御リソースセット６０に探索領域セット６００が設定され、探索領域セット６００に含まれるＰＤＣＣＨ候補６００１が少なくともＣＣＥ６０００にマップされ、制御リソースセット６０に探索領域セット６０１が設定され、探索領域セット６０１に含まれるＰＤＣＣＨ候補６０１１が少なくとも該ＣＣＥ６０１０にマップされ、探索領域セット６００の探索機会の先頭のＯＦＤＭシンボルと探索領域セット６０１の探索機会の先頭のＯＦＤＭシンボルが等しく、且つ、探索領域セット６００が所属する探索領域セットの種類と探索領域セット６０１が所属する探索領域セットの種類が異なる場合、
ＣＣＥ６０００とＣＣＥ６０１０は非重複なＣＣＥと認定されてもよい。ここで、ＣＣＥ６０００のインデックスは、ＣＣＥ６０１０のインデックスと同じでもよいし、異なってもよい。ここで、ＣＣＥ６０００が対応するサブキャリアは、ＣＣＥ６０１０が対応するサブキャリアと同じでもよいし、異なってもよい。ここで、ＣＣＥ６０００を構成するリソースエレメントは、ＣＣＥ６０１０を構成するリソースエレメントと同じでもよいし、異なってもよい。
【０１２１】
第４の例において、制御リソースセット６０に探索領域セット６００が設定され、探索領域セット６００に含まれるＰＤＣＣＨ候補６００１が少なくともＣＣＥ６０００にマップされ、制御リソースセット６０に探索領域セット６０１が設定され、探索領域セット６０１に含まれるＰＤＣＣＨ候補６０１１が少なくともＣＣＥ６０１０にマップされ、探索領域セット６００の探索機会の先頭のＯＦＤＭシンボルと探索領域セット６０１の探索機会の先頭のＯＦＤＭシンボルが等しく、探索領域セット６００が所属する探索領域セットの種類と該探索領域セット６０１が所属する探索領域セットの種類が異なり、且つ、制御リソースセット６０と制御リソースセット６１のうち少なくとも一方にパラメータｐｄｃｃｈ−ＤＭＲＳ−ＳｃｒａｍｂｌｉｎｇＩＤが設定される場合、ＣＣＥ６０００と該ＣＣＥ６０１０は非重複なＣＣＥと認定されてもよい。ここで、ＣＣＥ６０００のインデックスは、ＣＣＥ６０１０のインデックスと同じでもよいし、異なってもよい。ここで、ＣＣＥ６０００が対応するサブキャリアは、ＣＣＥ６０１０が対応するサブキャリアと同じでもよいし、異なってもよい。ここで、ＣＣＥ６０００を構成するリソースエレメントは、ＣＣＥ６０１０を構成するリソースエレメントと同じでもよいし、異なってもよい。
【０１２２】
第５の例において、制御リソースセット６０に探索領域セット６００が設定され、探索領域セット６００に含まれるＰＤＣＣＨ候補６００１が少なくともＣＣＥ６０００にマップされ、制御リソースセット６０に探索領域セット６０１が設定され、探索領域セット６０１に含まれるＰＤＣＣＨ候補６０１１が少なくともＣＣＥ６０１０にマップされ、探索領域セット６００の探索機会の先頭のＯＦＤＭシンボルと該探索領域セット６０１の探索機会の先頭のＯＦＤＭシンボルが等しく、探索領域セット６００が所属する探索領域セットの種類と探索領域セット６０１が所属する探索領域セットの種類が異なり、且つ、ＰＤＣＣＨ候補６００１のための第１のＤＭＲＳのスクランブリング系列ｃ（ｉ）の初期化に用いられる値ＮＩＤとＰＤＣＣＨ候補６０１１のための第２のＤＭＲＳのスクランブリング系列ｃ（ｉ）の初期化に用いられる値ＮＩＤが異なる場合、ＣＣＥ６０００とＣＣＥ６０１０は非重複なＣＣＥと認定されてもよい。ここで、ＣＣＥ６０００のインデックスは、ＣＣＥ６０１０のインデックスと同じでもよいし、異なってもよい。ここで、ＣＣＥ６０００が対応するサブキャリアは、ＣＣＥ６０１０が対応するサブキャリアと同じでもよいし、異なってもよい。ここで、ＣＣＥ６０００を構成するリソースエレメントは、ＣＣＥ６０１０を構成するリソースエレメントと同じでもよいし、異なってもよい。
【０１２３】
第６の例において、制御リソースセット６０に探索領域セット６００が設定され、探索領域セット６００に含まれるＰＤＣＣＨ候補６００１が少なくともＣＣＥ６０００にマップされ、制御リソースセット６０に探索領域セット６０１が設定され、探索領域セット６０１に含まれるＰＤＣＣＨ候補６０１１が少なくともＣＣＥ６０１０にマップされ、且つ、探索領域セット６００の探索機会の先頭のＯＦＤＭシンボルと探索領域セット６０１の探索機会の先頭のＯＦＤＭシンボルが等しく、探索領域セット６００が所属する探索領域セットの種類と探索領域セット６０１が所属する探索領域セットの種類が等しく、且つ、ＣＣＥ６０００に対応するサブキャリアがＣＣＥ６０１０に対応するサブキャリアと同じである場合、ＣＣＥ６０００と該ＣＣＥ６０１０は重複なＣＣＥと認定されてもよい。
【０１２４】
第７の例において、制御リソースセット６０に探索領域セット６００が設定され、探索領域セット６００に含まれるＰＤＣＣＨ候補６００１が少なくともＣＣＥ６０００にマッ
プされ、制御リソースセット６０に探索領域セット６０１が設定され、探索領域セット６０１に含まれるＰＤＣＣＨ候補６０１１が少なくともＣＣＥ６０１０にマップされ、探索領域セット６００の探索機会の先頭のＯＦＤＭシンボルと探索領域セット６０１の探索機会の先頭のＯＦＤＭシンボルが等しく、探索領域セット６００が所属する探索領域セットの種類と探索領域セット６０１が所属する探索領域セットの種類が異なり、制御リソースセット６０にパラメータｐｄｃｃｈ−ＤＭＲＳ−ＳｃｒａｍｂｌｉｎｇＩＤが設定されず、且つ、ＣＣＥ６０００に対応するサブキャリアがＣＣＥ６０１０に対応するサブキャリアと同じである場合、ＣＣＥ６０００とＣＣＥ６０１０は重複なＣＣＥと認定されてもよい。
【０１２５】
第８の例において、制御リソースセット６０に探索領域セット６００が設定され、探索領域セット６００に含まれるＰＤＣＣＨ候補６００１が少なくともＣＣＥ６０００にマップされ、制御リソースセット６０に探索領域セット６０１が設定され、探索領域セット６０１に含まれるＰＤＣＣＨ候補６０１１が少なくともＣＣＥ６０１０にマップされ、探索領域セット６００の探索機会の先頭のＯＦＤＭシンボルと探索領域セット６０１の探索機会の先頭のＯＦＤＭシンボルが等しい、探索領域セット６００が所属する探索領域セットの種類と探索領域セット６０１が所属する探索領域セットの種類が異なり、ＰＤＣＣＨ候補６００１のための第１のＤＭＲＳのスクランブリング系列ｃ（ｉ）の初期化に用いられる値ＮＩＤとＰＤＣＣＨ候補６０１１のための第２のＤＭＲＳのスクランブリング系列ｃ（ｉ）の初期化に用いられる値ＮＩＤが等しく、且つ、ＣＣＥ６０００に対応するサブキャリアがＣＣＥ６０００に対応するサブキャリアと同じである場合、ＣＣＥ６０００とＣＣＥ６０１０は重複なＣＣＥと認定されてもよい。
【０１２６】
第６から第８の例において、第１のＣＣＥに対応するサブキャリアが第２のＣＣＥに対応するサブキャリアと同じであるという条件は、第１のＣＣＥのインデックスが第２のＣＣＥのインデックスと同じであるという条件、または、第１のＣＣＥが対応するリソースエレメントが第２のＣＣＥが対応するリソースエレメントと同じであるという条件であってもよい。
【０１２７】
図７は、本実施形態の一態様に係るあるスロットにおける、ある探索領域セット（例えば、第ｊの探索領域セット）に対して使用可能な非重複なＣＣＥの数および監視可能なＰＤＣＣＨ候補の数を割り当てる手順を示す図である。
【０１２８】
図７において、ＭＰＤＣＣＨｍａｘ，ｓｌｏｔ，μは、端末装置がスロット毎に監視することを期待されるＰＤＣＣＨ候補の最大数であり、サブキャリア間隔の設定μに応じて規定されてもよい。また、ＣＰＤＣＣＨｍａｘ，ｓｌｏｔ，μは、端末装置がスロット毎に監視することを期待される非重複なＣＣＥの最大数であり、該サブキャリア間隔の設定μに応じて規定されてもよい。また、ＭＰＤＣＣＨｃｓｓはあるスロットにおけるＣＳＳ種類の探索領域セットに割り当てられるＰＤＣＣＨ候補の総数である。また、ＣＰＤＣＣＨｃｓｓは該スロットにおけるＣＳＳ種類の探索領域セットに割り当てられる非重複なＣＣＥの総数である。
【０１２９】
第ｊの探索領域セットに対する非重複なＣＣＥの数は、ＣＳＳ種類の探索領域セットに対して監視されるＰＤＣＣＨ候補の数と第ｋ（０≦ｋ≦ｊ）までの探索領域セットに対して監視されるＰＤＣＣＨ候補の数を考慮して決定されてもよい。
【０１３０】
ステップ７０１において、ＵＳＳ種類の探索領域セットに対するＰＤＣＣＨ候補の規定数ＭＰＤＣＣＨuｓｓは、ＣＳＳ種類の探索領域セットに対するＰＤＣＣＨ候補の規定数
ＭＰＤＣＣＨｃｓｓを考慮して与えられてもよい。例えば、ＵＳＳ種類の探索領域セットに対するＰＤＣＣＨ候補の規定数ＭＰＤＣＣＨｕｓｓを、ＭＰＤＣＣＨｍａｘ，ｓｌｏｔ
，μ−ＭＰＤＣＣＨｃｓｓにセットする。
【０１３１】
ステップ７０２において、ＵＳＳ種類の探索領域セットに対する非重複なＣＣＥの規定数ＣＰＤＣＣＨｕｓｓは、ＣＳＳ種類の探索領域セットに対する非重複なＣＣＥの規定数ＣＰＤＣＣＨｃｓｓを考慮して与えられてもよい。例えば、ＵＳＳ種類の探索領域セットに対する非重複なＣＣＥの規定数ＣＰＤＣＣＨｕｓｓを、ＣＰＤＣＣＨｍａｘ，ｓｌｏｔ，μ−ＣＰＤＣＣＨｃｓｓにセットする。
【０１３２】
ステップ７０３において、変数ｊを、０にセットする。
【０１３３】
ステップ７０４において、所定の条件Ｃを満たす場合、所定の処理が行われてもよい。該所定の処理は、下記のステップ７０５からステップ７０８の一部または全部を少なくとも含んでもよい。
【０１３４】
ステップ７０５：監視される１または複数のＰＤＣＣＨ候補を第ｊのＵＳＳ種類の探索領域セットＳｕｓｓ（ｊ）に割り当てる。
【０１３５】
ステップ７０６：余っているＰＤＣＣＨ候補の数ＭＰＤＣＣＨｕｓｓを、余っているＰＤＣＣＨ候補の数ＭＰＤＣＣＨｕｓｓから第ｊのＵＳＳ種類の探索領域セットＳｕｓｓ（ｊ）に対するＰＤＣＣＨ候補の数ΣＭＰｕｓｓ（ｊ），Ｓｕｓｓ（ｊ）（Ｌ）,ｍｏｎｉ
ｔｏｒを引いた値にセットする。すなわち、余っているＰＤＣＣＨ候補の数ＭＰＤＣＣＨｕｓｓを、余っているＰＤＣＣＨ候補の数ＭＰＤＣＣＨｕｓｓ−ΣＭＰｕｓｓ（ｊ），Ｓｕｓｓ（ｊ）（Ｌ）,ｍｏｎｉｔｏｒにセットする。
【０１３６】
ステップ７０７：余っている非重複なＣＣＥの数ＣＰＤＣＣＨｕｓｓを、余っている非重複なＣＣＥの数ＣＰＤＣＣＨｕｓｓから第ｊのＵＳＳ種類の探索領域セットＳｕｓｓ（ｊ）に対して割り当てた非重複なＣＣＥの数Ｃ（ＶＣＣＥ（Ｓｕｓｓ（ｊ）））を引いた値にセットする。すなわち、余っている非重複なＣＣＥの数ＣＰＤＣＣＨｕｓｓを、ＣＰＤＣＣＨｕｓｓ−Ｃ（ＶＣＣＥ（Ｓｕｓｓ（ｊ）））にセットする。
【０１３７】
ステップ７０８：ｊを、ｊ＋１にセットする。
【０１３８】
ステップ７０８が実行された後、ステップ７０４に行く。
【０１３９】
ステップ７０４において、所定の条件Ｃを満たさない場合、該所定の処理が停止する。または、ステップ７０４において所定の条件Ｃを満たさない場合、ステップ７０９に行く。
【０１４０】
該所定の条件Ｃは、第ｊのＵＳＳ種類の探索領域セットの非重複なＣＣＥの数Ｃ（ＶＣＣＥ（Ｓｕｓｓ（ｊ）））がＣＰＤＣＣＨｕｓｓ（第０から第ｊ−１までのＵＳＳ種類の探索領域セットに非重複なＣＣＥを割り当てた後の残り（または、余り）の非重複なＣＣＥの総数）を超えないことを少なくとも含んでもよい。さらに、該所定の条件Ｃは、第ｊのＵＳＳ種類の探索領域セットのに対するＰＤＣＣＨ候補の数ΣＭＰｕｓｓ（ｊ），Ｓｕｓｓ（ｊ）（Ｌ）,ｍｏｎｉｔｏｒがＭＰＤＣＣＨｕｓｓ（第０から第ｊ−１までのＵＳ
Ｓ種類の探索領域セットに監視されるＰＤＣＣＨ候補を割り当てた後の残り（または、余り）のＰＤＣＣＨ候補の総数）を超えないことを少なくとも含んでもよい。
【０１４１】
以下、本実施形態の一態様に係る種々の装置の態様を説明する。
【０１４２】
（１）上記の目的を達成するために、本発明の態様は、以下のような手段を講じた。す
なわち、本発明の第１の態様は、端末装置であって、制御リソースセットの探索領域セットを監視する受信部を備え、端末装置がスロット毎に監視することを期待される非重複なＣＣＥの最大数ＣＰＤＣＣＨｍａｘ，ｓｌｏｔに少なくとも基づき、監視されるＰＤＣＣＨ候補を前記探索領域セットに割り当て、制御リソースセットが複数の条件の１つ以上を少なくとも満たした場合、前記ＣＣＥは前記非重複なＣＣＥであり、前記複数の条件は前記ＣＣＥが異なる探索領域セットの種類に対応することを含む。
【０１４３】
（２）本発明の第２の態様は、端末装置であって、制御リソースセットの探索領域セットを監視する受信部を備え、端末装置がスロット毎に監視することを期待される非重複なＣＣＥの最大数ＣＰＤＣＣＨｍａｘ，ｓｌｏｔに少なくとも基づき、監視されるＰＤＣＣＨ候補を前記探索領域セットに割り当て、ＣＣＥが複数の条件の１つ以上を少なくとも満たした場合、前記ＣＣＥは前記非重複なＣＣＥであり、前記複数の条件は前記制御リソースセットの上位層パラメータｐｄｃｃｈ−ＤＭＲＳ−ＳｃｒａｍｂｌｉｎｇＩＤが設定される、且つ、前記ＣＣＥが異なる探索領域セットの種類に対応することを含む。
【０１４４】
（３）本発明の第１の態様、および、本発明の第２の態様において、前記探索領域セットの種類がＣＳＳとＵＳＳを含む。
【０１４５】
（４）本発明の第３の態様は、基地局装置であって、制御リソースセットの探索領域セットを監視する受信部を備え、端末装置がスロット毎に監視することを期待される非重複なＣＣＥの最大数ＣＰＤＣＣＨｍａｘ，ｓｌｏｔに少なくとも基づき、監視されるＰＤＣＣＨ候補を前記探索領域セットに割り当て、制御リソースセットが複数の条件の１つ以上を少なくとも満たした場合、前記ＣＣＥは前記非重複なＣＣＥであり、前記複数の条件は前記ＣＣＥが異なる探索領域セットの種類に対応することを含む。
【０１４６】
（５）本発明の第４の態様は、基地局装置であって、制御リソースセットの探索領域セットを監視する受信部を備え、端末装置がスロット毎に監視することを期待される非重複なＣＣＥの最大数ＣＰＤＣＣＨｍａｘ，ｓｌｏｔに少なくとも基づき、監視されるＰＤＣＣＨ候補を前記探索領域セットに割り当て、ＣＣＥが複数の条件の１つ以上を少なくとも満たした場合、前記ＣＣＥは前記非重複なＣＣＥであり、前記複数の条件は前記制御リソースセットの上位層パラメータｐｄｃｃｈ−ＤＭＲＳ−ＳｃｒａｍｂｌｉｎｇＩＤが設定される、且つ、前記ＣＣＥが異なる探索領域セットの種類に対応することを含む。
【０１４７】
（６）本発明の第３の態様、および、本発明の第４の態様において、前記探索領域セットの種類がＣＳＳとＵＳＳを含む。
【０１４８】
本発明に関わる基地局装置３、および端末装置１で動作するプログラムは、本発明に関わる上記実施形態の機能を実現するように、ＣＰＵ（Central Processing Unit）等を制
御するプログラム（コンピュータを機能させるプログラム）であってもよい。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤ
Ｄ（Hard Disk Drive）に格納され、必要に応じてＣＰＵによって読み出し、修正・書き
込みが行われる。
【０１４９】
尚、上述した実施形態における端末装置１、基地局装置３の一部、をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。
【０１５０】
尚、ここでいう「コンピュータシステム」とは、端末装置１、又は基地局装置３に内蔵
されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１５１】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【０１５２】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０１５３】
また、上述した実施形態における基地局装置３は、ＥＵＴＲＡＮ（Evolved Universal Terrestrial Radio Access Network）および／またはＮＧ−ＲＡＮ（NextGen RAN，NR RAN）であってもよい。また、上述した実施形態における基地局装置３は、ｅＮｏｄｅＢお
よび／またはｇＮＢに対する上位ノードの機能の一部または全部を有してもよい。
【０１５４】
また、上述した実施形態における端末装置１、基地局装置３の一部、又は全部を典型的には集積回路であるＬＳＩとして実現してもよいし、チップセットとして実現してもよい。端末装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いることも可能である。
【０１５５】
また、上述した実施形態では、通信装置の一例として端末装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０１５６】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０１５７】
１（１Ａ、１Ｂ、１Ｃ）  端末装置
３  基地局装置
１０、３０  無線送受信部
１１、３１  アンテナ部
１２、３２  ＲＦ部
１３、３３  ベースバンド部
１４、３４  上位層処理部
１５、３５  媒体アクセス制御層処理部
１６、３６  無線リソース制御層処理部
【図１】
2019220742.tif 000003
【図２】
2019220742.tif 000004
【図３】
2019220742.tif 000005
【図４】
2019220742.tif 000006
【図５】
2019220742.tif 000007
【図６】
2019220742.tif 000008
【図７】
2019220742.tif 000009